(57)【要約】      （修正有）【課題】建造物外装材の固定及び雨漏り防止用固定防水構造及び固定防水具セットを提供する。【解決手段】固定防水構造は、押圧部材１と押圧部材で外装材端縁を建造物に固定する締結具１８と押圧部材に嵌合可能な保護部材３Ｃとの組合せにより外装材端縁を建造物外壁８４Ｖに固定し雨漏りから保護する。押圧部材は、押圧平板部、第１嵌合部及び平板領域を有する。保護部材は、第２嵌合部、カバー部及び連結部を有する。押圧部材と保護部材は、締結具端部をカバー部で覆うように嵌合連結させ、押圧部材は、外装材端縁に沿って、嵌合連結部と略水平壁面との間にシーリング材充填用の端縁保護空間を形成するように敷設される。端縁保護空間は、内部シーリング材と開口部シーリング材によって保護される。固定防水具セットは、押圧部材、締結具、保護部材、内部シーリング材及び開口部シーリング材を含む。【選択図】図９
2015031065.tif 000002
【特許請求の範囲】
【請求項１】
建造物外壁の開放型コーナー部の略水平壁面に位置する外装材端縁部に対して、
（Ａ）建造物外壁に敷設された外装材と直接に接触して外装材端縁領域を建造物外壁に押圧することのできる押圧部材と、
（Ｂ）前記押圧部材及び前記外装材端縁領域を貫通して、前記押圧部材によって外装材端縁領域を建造物外壁に押圧固定することのできる締結具と、
（Ｃ）前記押圧部材との嵌合連結が可能な保護部材と
の組合せによって、外装材端縁領域を前記建造物外壁に固定すると共に、外装材端縁部を雨漏的露出から保護する固定防水構造であって；
前記押圧部材（Ａ）は、（イ）一方の表面が前記外装材に直接に接触する押圧接触面であり、もう一方の反対側表面が固定作業面である押圧平板部、（ロ）前記固定作業面に設けた第１嵌合部、及び（ハ）前記固定作業面側から締結具を貫通させる平板領域を有すること；
前記保護部材（Ｃ）は、（イ）一方の端部に位置する第２嵌合部、（ロ）前記第２嵌合部の反対側の端部に位置するカバー部、及び（ハ）前記第２嵌合部と前記カバー部とを連結する連結部を有すること； 
前記押圧部材（Ａ）と前記保護部材（Ｃ）とは、前記締結具（Ｂ）が前記平板領域から露出した端部を前記保護部材（Ｃ）のカバー部によって覆うことができるように両者を嵌合連結させること；  
前記押圧部材（Ａ）は、押圧接触面側で前記外装材に直接に接触して保護対象の外装材端縁部に沿って、しかも、前記押圧部材（Ａ）の保護端縁部が、保護対象の外装材端縁部及びコーナー部を越えて敷設されること；
前記押圧部材（Ａ）と前記保護部材（Ｃ）とが嵌合連結され、しかも前記押圧部材（Ａ）が締結具により建造物外壁に固定された状態で、押圧平板部の固定作業面と、カバー部の内側表面との間に形成される締結具保護空間は、奥の方に充填される内部シーリング材と、開口側に充填される開口部シーリング材によって保護されること；そして
保護対象の外装材端縁部は、押圧平板部の保護端縁部側の押圧接触面と建造物外壁との間に形成される端縁保護空間において、奥の方に充填される内部シーリング材と、開口側に充填される開口部シーリング材によって保護されるか、あるいは、押圧平板部の保護端縁部先端から押圧接触面側に突出させて設けたヒサシ部で覆われることによって保護されること；
を特徴とする、前記固定防水構造。
【請求項２】
建造物外壁の閉鎖型コーナー部の略水平壁面に位置する外装材端縁部に対して、
（Ａ）建造物外壁に敷設された外装材と直接に接触して外装材端縁領域を建造物外壁に押圧することのできる押圧部材と、
（Ｂ）前記押圧部材及び前記外装材端縁領域を貫通して、前記押圧部材によって外装材端縁領域を建造物外壁に押圧固定することのできる締結具と、
（Ｃ）前記押圧部材との嵌合連結が可能な保護部材と
の組合せによって、外装材端縁領域を前記建造物外壁に固定すると共に、外装材端縁部を雨漏的露出から保護する固定防水構造であって；
前記押圧部材（Ａ）は、（イ）一方の表面が前記外装材に直接に接触する押圧接触面であり、もう一方の反対側表面が固定作業面である押圧平板部、（ロ）前記固定作業面に設けた第１嵌合部、及び（ハ）前記固定作業面側から締結具を貫通させる平板領域を有すること；
前記保護部材（Ｃ）は、（イ）一方の端部に位置する第２嵌合部、（ロ）前記第２嵌合部の反対側の端部に位置するカバー部、及び（ハ）前記第２嵌合部と前記カバー部とを連結する連結部を有すること；
前記押圧部材（Ａ）と前記保護部材（Ｃ）とは、前記締結具（Ｂ）が前記平板領域から露出した端部を前記保護部材（Ｃ）のカバー部によって覆うことができるように両者を嵌合連結させること；
前記押圧部材（Ａ）は、押圧接触面側で前記外装材に直接に接触して保護対象の外装材端縁部に沿って、しかも、前記第１嵌合部及び前記第２嵌合部の嵌合連結部と前記閉鎖型コーナー部の略立設壁面と間に、シーリング材が充填可能な端縁保護空間を形成するように敷設されること；
前記押圧部材（Ａ）と前記保護部材（Ｃ）とが嵌合連結され、しかも前記押圧部材（Ａ）が前記締結具（Ｂ）により建造物外壁に固定された状態で、押圧平板部の固定作業面と、カバー部の内側表面との間に形成される締結具保護空間は、奥の方に充填される内部シーリング材と、開口側に充填される開口部シーリング材によって保護されること；及び 
前記端縁保護空間は、奥の方に充填される内部シーリング材と、開口側に充填される開口部シーリング材によって保護されること；
を特徴とする、前記固定防水構造。
【請求項３】
建造物外壁の上方開放型コーナー部の略垂直壁面に位置する外装材端縁部に対して、
（Ａ）建造物外壁に敷設された外装材と直接に接触して外装材端縁領域を建造物外壁に押圧することのできる押圧部材と、
（Ｂ）前記押圧部材及び前記外装材端縁領域を貫通して、前記押圧部材によって外装材端縁領域を建造物外壁に押圧固定することのできる締結具と、
（Ｃ）前記押圧部材との嵌合連結が可能な保護部材と
の組合せによって、外装材端縁領域を前記建造物外壁に固定すると共に、外装材端縁部を雨漏的露出から保護する固定防水構造であって；
前記押圧部材（Ａ）は、（イ）一方の表面が前記外装材に直接に接触する押圧接触面であり、もう一方の反対側表面が固定作業面である押圧平板部、（ロ）前記固定作業面に設けた第１嵌合部、及び（ハ）前記固定作業面側から締結具を貫通させる平板領域を有すること；
前記保護部材（Ｃ）は、（イ）一方の端部に位置する第２嵌合部、（ロ）前記第２嵌合部の反対側の端部に位置するカバー部、及び（ハ）前記第２嵌合部と前記カバー部とを連結する連結部を有すること；
前記押圧部材（Ａ）と前記保護部材（Ｃ）とは、前記締結具（Ｂ）が前記平板領域から露出した端部を前記保護部材（Ｃ）のカバー部によって覆うことができるように両者を嵌合連結させること；
前記押圧部材（Ａ）は、押圧接触面側で前記外装材に直接に接触して保護対象の外装材端縁部に沿って、しかも、前記押圧部材（Ａ）の保護端縁部が、保護対象の外装材端縁部及びコーナー部を越えて敷設されること；
保護対象の外装材端縁部は、押圧平板部の保護端縁部側の押圧接触面と建造物外壁との間に形成される端縁保護空間において、奥の方に充填される内部シーリング材と、開口側に充填される開口部シーリング材によって保護されるか、あるいは、押圧平板部の保護端縁部先端から押圧接触面側に突出させて設けたヒサシ部で覆われることによって保護されること；
を特徴とする、前記固定防水構造。
【請求項４】
建造物外壁の上方閉鎖型コーナー部の略垂直壁面に位置する外装材端縁部に対して、
（Ａ）建造物外壁に敷設された外装材と直接に接触して外装材端縁領域を建造物外壁に押圧することのできる押圧部材と、
（Ｂ）前記押圧部材及び前記外装材端縁領域を貫通して、前記押圧部材によって外装材端縁領域を建造物外壁に押圧固定することのできる締結具と、
（Ｃ）前記押圧部材との嵌合連結が可能な保護部材と
の組合せによって、外装材端縁領域を前記建造物外壁に固定すると共に、外装材端縁部を雨漏的露出から保護する固定防水構造であって；
前記押圧部材（Ａ）は、（イ）一方の表面が前記外装材に直接に接触する押圧接触面であり、もう一方の反対側表面が固定作業面である押圧平板部、（ロ）前記固定作業面に設けた第１嵌合部、及び（ハ）前記固定作業面側から締結具を貫通させる平板領域を有すること；
前記保護部材（Ｃ）は、（イ）一方の端部に位置する第２嵌合部、（ロ）前記第２嵌合部の反対側の端部に位置するカバー部、及び（ハ）前記第２嵌合部と前記カバー部とを連結する連結部を有すること；
前記押圧部材（Ａ）と前記保護部材（Ｃ）とは、前記締結具（Ｂ）が前記平板領域から露出した端部を前記保護部材（Ｃ）のカバー部によって覆うことができるように両者を嵌合連結させること；
前記押圧部材（Ａ）は、押圧接触面側で前記外装材に直接に接触して保護対象の外装材端縁部に沿って、しかも、前記第１嵌合部及び前記第２嵌合部の嵌合連結部と前記閉鎖型コーナー部の略水平壁面との間に、シーリング材が充填可能な端縁保護空間を形成するように敷設されること； 及び
前記端縁保護空間は、奥の方に充填される内部シーリング材と、開口側に充填される開口部シーリング材によって保護されること；
を特徴とする、前記固定防水構造。
【請求項５】
建造物外壁の略垂直壁面に下方向きに位置する外装材端縁部に対して、
（Ａ）建造物外壁に敷設された外装材と直接に接触して外装材端縁領域を建造物外壁に押圧することのできる押圧部材と、
（Ｂ）前記押圧部材及び前記外装材端縁領域を貫通して、前記押圧部材によって外装材端縁領域を建造物外壁に押圧固定することのできる締結具と、
（Ｃ）前記押圧部材との嵌合連結が可能な保護部材と
の組合せによって、外装材端縁領域を前記建造物外壁に固定すると共に、外装材端縁部を雨漏的露出から保護する固定防水構造であって；
前記押圧部材（Ａ）は、（イ）一方の表面が前記外装材に直接に接触する押圧接触面であり、もう一方の反対側表面が固定作業面である押圧平板部、（ロ）前記固定作業面に設けた第１嵌合部、及び（ハ）前記固定作業面側から締結具を貫通させる平板領域を有すること；
前記保護部材（Ｃ）は、（イ）一方の端部に位置する第２嵌合部、（ロ）前記第２嵌合部の反対側の端部に位置するカバー部、及び（ハ）前記第２嵌合部と前記カバー部とを連結する連結部を有すること；
前記押圧部材（Ａ）と前記保護部材（Ｃ）とは、前記締結具（Ｂ）が前記平板領域から露出した端部を前記保護部材（Ｃ）のカバー部によって覆うことができるように両者を嵌合連結させること；
前記押圧部材（Ａ）は、押圧接触面側で前記外装材に直接に接触して保護対象の外装材端縁部に沿って、しかも、前記押圧部材（Ａ）の保護端縁部が、保護対象の外装材端縁部を越えて敷設されること；及び
前記押圧部材（Ａ）と前記保護部材（Ｃ）とが嵌合連結され、しかも前記押圧部材（Ａ）が締結具により建造物外壁に固定された状態で、前記第１嵌合部及び前記第２嵌合部の嵌合連結部と略垂直壁面との間に形成される連結部保護空間は、奥の方に充填される内部シーリング材と、開口側に充填される開口部シーリング材によって保護されること；
を特徴とする、前記固定防水構造。
【請求項６】
（Ａ）建造物外壁に敷設された外装材と直接に接触して外装材端縁領域を建造物外壁に押圧することのできる押圧部材と、
（Ｂ）前記押圧部材及び前記外装材端縁領域を貫通して、前記押圧部材によって外装材端縁領域を建造物外壁に押圧固定することのできる締結具と、
（Ｃ）前記押圧部材との嵌合連結が可能な保護部材と、
（Ｄ）内部シーリング材と、
（Ｅ）開口部シーリング材と
の組合せを含み、
建造物外壁に敷設される外装材の端縁領域を前記建造物外壁に固定すると共に、外装材端縁部を雨漏的露出から保護するための固定防水具セットであって；
前記押圧部材（Ａ）は、（イ）一方の表面が前記外装材に直接に接触する押圧接触面であり、もう一方の反対側表面が固定作業面である押圧平板部、（ロ）前記固定作業面に設けた第１嵌合部、及び（ハ）前記固定作業面側から締結具を貫通させる平板領域を有すること；
前記保護部材（Ｃ）は、（イ）一方の端部に位置する第２嵌合部、（ロ）前記第２嵌合部の反対側の端部に位置するカバー部、及び（ハ）前記第２嵌合部と前記カバー部とを連結する連結部を有すること； 
前記押圧部材（Ａ）と前記保護部材（Ｃ）とは、前記締結具（Ｂ）が前記平板領域から露出した端部を前記保護部材（Ｃ）のカバー部によって覆うことができるように両者を嵌合連結可能であること；
を特徴とする、固定防水具セット。
【発明の詳細な説明】
【技術分野】
【０００１】
本発明は、建造物（例えば、ビル）の外壁に設けた外装材の端縁領域を固定すると共に、端縁部での雨漏りを防止するための固定防水構造及び固定防水具セットに関し、更には、固定防水方法にも関する。
【背景技術】
【０００２】
コンクリート建造物の外壁や屋上には、外装材として、外壁材、屋根材、又は防水材などが一般的に敷設されている。これらの外装材の端縁部は、コンクリート建造物の外壁や屋上に堅固に固定する必要があるだけでなく、雨漏防水処理も必要になる。また、外装材を建造物外壁へ固定するために種々の固定手段が用いられているが、その固定箇所にも雨漏防水処理が必要になる場合がある。
図１８は、防水シート８１の端縁部８２を、従来から使用されていたＬ字金具８３によって固定した状態を示す模式的断面図である。例えば、図１８（ａ）に示すように、屋上の水平床面８４Ｒに敷設した防水シート８１ａの端縁部８２ａをＬ字金具８３ａとネジ８５ａとで固定すると、防水シート８１ａの端縁部８２ａを屋上床面８４Ｒに堅固に固定すると共に、端縁部８２ａの防水処理も同時に行うことができる。しかしながら、雨水８７が、ネジ８５ａとＬ字金具８３ａ及び防水シート８１ａとの隙間８９を通って床内部に侵入し、雨漏りの原因となる。また、図１８（ｂ）に示すように、屋上床面８４Ａ及び屋上床から立設する壁面８４Ｂに敷設した防水シート８１ｂの端縁部８２ｂをＬ字金具８３ｂとネジ８５ｂとで固定し、更に、Ｌ字金具８３ｂの短辺部８３Ａと、上方壁面８４Ｃとの間の空間に防水シーリング材８８を充填して防水処理を行うことも行われていた。しかしながら、この従来法によると、雨水８７が、ネジ８５ｂとＬ字金具８３ｂ及び防水シート８１ｂとの隙間を通って壁内部に侵入して雨漏りの原因となるだけでなく、防水シーリング材８８が劣化して隙間８９が発生するので、定期的な交換修理が必要になり、高性能シーリング材を用いると交換修理の回数は低減するが高コストになり、低コストのシーリング材を用いると劣化が早く起こり、交換修理の回数が増加するという欠点があった。
【０００３】
更に、防水シート端縁部の防水処理方法としては、従来から、例えば、防水シート端縁部をシーリング材で被覆し、被覆したシーリング材を端末押さえ部材でカバーし、端末押さえ部材と防水シートとを締結具によって壁面に固定し、端末押さえ部材の上部と笠木部との間をシーリング材で封鎖し、そしてシーリング材と締結具とを保護するためのカバー部材を、端末押さえ部材に取り付ける方法が提案されている（特許文献１）。しかしながら、この従来法では、端末押さえ部材の構造が複雑なために製造コストが高くなるだけでなく、シーリング材の被覆操作が極めて困難であり、実施化は事実上不可能であった。すなわち、この従来法では、形成された隙間にシーリング材を充填するのではなく、防水シート端縁部をシーリング材で被覆した後に、そのシーリング材を端末押さえ部材でカバーしたり、端末押さえ部材の上部と笠木部との間をシーリング材でシールした後に、カバー部材でカバーする必要があるので、必要なシーリング材の量を決定することが非常に困難であった。また、端末押さえ部材やカバー部材でシーリング材をカバーした後に、シーリング材の量が不適切であることが分かった場合には、シーリング材及び金属部材を取り外して、再度、被覆作業を最初からやり直す必要があった。
【０００４】
なお、前記特許文献１に記載の方法の改良法が、特許文献２に提案されている。しかしながら、特許文献２に記載の方法は、建造物壁面に箱目地を形成する必要があるため、作業が煩雑になるだけでなく、防水シートをネジやビスなどで堅固に締結する固定方式ではないために、例えば、国土交通省が指定する仕様（非特許文献１参照）に適合しないことがあり、適用範囲が限定される欠点があった。
【先行技術文献】
【特許文献】
【０００５】
【特許文献１】特開２００３−２９３５２８
【特許文献２】特開２００５−１７１５３１
【非特許文献１】国土交通省大臣官房官庁営繕部監修、公共建築改修工事標準仕様書（建築工事編）平成２２年版、財団法人建築保全センター、第４２頁下から第２行〜１行、第５０頁第５行〜６行など。
【発明の概要】
【発明が解決しようとする課題】
【０００６】
従って、本発明の目的は、外装材（例えば、外壁材、屋根材、又は防水材）の端縁部を、ネジやビスなどの締結具で建造物の外壁本体に堅固に固定することができ、しかも外装材端縁部及び固定手段に対して充分な防水効果を得ることができ、構造が単純で、取り付け操作も容易な固定防水構造、及びその固定防水構造の構築に適した固定防水具セットを提供することにある。
【課題を解決するための手段】
【０００７】
前記の課題は、本発明により、建造物外壁の開放型コーナー部の略水平壁面に位置する外装材端縁部に対して、
（Ａ）建造物外壁に敷設された外装材と直接に接触して外装材端縁領域を建造物外壁に押圧することのできる押圧部材と、
（Ｂ）前記押圧部材及び前記外装材端縁領域を貫通して、前記押圧部材によって外装材端縁領域を建造物外壁に押圧固定することのできる締結具と、
（Ｃ）前記押圧部材との嵌合連結が可能な保護部材と
の組合せによって、外装材端縁領域を前記建造物外壁に固定すると共に、外装材端縁部を雨漏的露出から保護する固定防水構造であって；
前記押圧部材（Ａ）は、（イ）一方の表面が前記外装材に直接に接触する押圧接触面であり、もう一方の反対側表面が固定作業面である押圧平板部、（ロ）前記固定作業面に設けた第１嵌合部、及び（ハ）前記固定作業面側から締結具を貫通させる平板領域を有すること；
前記保護部材（Ｃ）は、（イ）一方の端部に位置する第２嵌合部、（ロ）前記第２嵌合部の反対側の端部に位置するカバー部、及び（ハ）前記第２嵌合部と前記カバー部とを連結する連結部を有すること； 
前記押圧部材（Ａ）と前記保護部材（Ｃ）とは、前記締結具（Ｂ）が前記平板領域から露出した端部を前記保護部材（Ｃ）のカバー部によって覆うことができるように両者を嵌合連結させること；
前記押圧部材（Ａ）は、押圧接触面側で前記外装材に直接に接触して保護対象の外装材端縁部に沿って、しかも、前記押圧部材（Ａ）の保護端縁部が、保護対象の外装材端縁部及びコーナー部を越えて敷設されること；
前記押圧部材（Ａ）と前記保護部材（Ｃ）とが嵌合連結され、しかも前記押圧部材（Ａ）が締結具により建造物外壁に固定された状態で、押圧平板部の固定作業面と、カバー部の内側表面との間に形成される締結具保護空間は、奥の方に充填される内部シーリング材と、開口側に充填される開口部シーリング材によって保護されること；そして
保護対象の外装材端縁部は、押圧平板部の保護端縁部側の押圧接触面と建造物外壁との間に形成される端縁保護空間において、奥の方に充填される内部シーリング材と、開口側に充填される開口部シーリング材によって保護されるか、あるいは、押圧平板部の保護端縁部先端から押圧接触面側に突出させて設けたヒサシ部で覆われることによって保護されること；
を特徴とする、前記固定防水構造により解決することができる。
【０００８】
本発明は、また、建造物外壁の開放型コーナー部の略水平壁面に位置する外装材端縁部に対して、
（Ａ）建造物の外壁に敷設された外装材と直接に接触して外装材端縁領域を建造物外壁に押圧することのできる押圧部材と、
（Ｂ）前記押圧部材及び前記外装材端縁領域を貫通して、前記押圧部材によって外装材端縁領域を建造物外壁に押圧固定することのできる締結具と、
（Ｃ）前記押圧部材との嵌合連結が可能な保護部材と
の組合せによって、外装材端縁領域を前記建造物外壁に固定すると共に、外装材端縁部を雨漏的露出から保護する固定防水方法であって；
前記押圧部材（Ａ）は、（イ）一方の表面が前記外装材に直接に接触する押圧接触面であり、もう一方の反対側表面が固定作業面である押圧平板部、（ロ）前記固定作業面に設けた第１嵌合部、及び（ハ）前記固定作業面側から締結具を貫通させる平板領域を有すること；
前記保護部材（Ｃ）は、（イ）一方の端部に位置する第２嵌合部、（ロ）前記第２嵌合部の反対側の端部に位置するカバー部、及び（ハ）前記第２嵌合部と前記カバー部とを連結する連結部を有すること；
前記押圧部材（Ａ）と前記保護部材（Ｃ）とは、前記締結具（Ｂ）が前記平板領域から露出した端部を前記保護部材（Ｃ）のカバー部によって覆うことができるように両者を嵌合連結させること；
を特徴とし、前記固定防水方法が
（１）前記押圧部材（Ａ）を、押圧接触面側で前記外装材に直接に接触させて保護対象の外装材端縁部に沿って、しかも、前記押圧部材（Ａ）の保護端縁部が、保護対象の外装材端縁部及びコーナー部を越えて敷設し、押圧平板部の保護端縁部側の押圧接触面と建造物外壁との間に端縁保護空間を形成する工程；及び
（２）敷設された前記押圧部材（Ａ）を、前記押圧部材（Ａ）と建造物外壁との間に外装材を挟んで押圧した状態で、前記締結具（Ｂ）により、前記押圧部材（Ａ）と前記外装材とを貫通させて建造物外壁に固定する工程； 
を実施した後、
（３）前記締結具（Ｂ）が前記平板領域から露出した端部については、
（３−１ａ）前記締結具（Ｂ）が前記平板領域から露出した端部を内部シーリング材で被覆してから、前記保護部材（Ｃ）を前記押圧部材（Ａ）に嵌合連結させることにより押圧平板部の固定作業面とカバー部の内側表面との間に締結具保護空間を形成した後；あるいは
（３−１ｂ）前記保護部材（Ｃ）を前記押圧部材（Ａ）に嵌合連結させることにより押圧平板部の固定作業面とカバー部の内側表面との間に締結具保護空間を形成させてから、その締結具保護空間の奥の方に内部シーリング材を充填した後、
（３−２）前記締結具保護空間の開口側に開口部シーリング材を充填する工程
を実施し、そして、
（４）前記端縁保護空間については、
（４−１）奥の方に内部シーリング材を充填した後、
（４−２）開口側に開口部シーリング材を充填する工程
を実施し、
前記工程（３）及び（４）をそれぞれ独立に任意の順序で実施することを特徴とする、前記固定防水方法にも関する。
【０００９】
本発明は、また、建造物外壁の開放型コーナー部の略水平壁面に位置する外装材端縁部に対して、
（Ａ）建造物の外壁に敷設された外装材と直接に接触して外装材端縁領域を建造物外壁に押圧することのできる押圧部材と、
（Ｂ）前記押圧部材及び前記外装材端縁領域を貫通して、前記押圧部材によって外装材端縁領域を建造物外壁に押圧固定することのできる締結具と、
（Ｃ）前記押圧部材との嵌合連結が可能な保護部材と
の組合せによって、外装材端縁領域を前記建造物外壁に固定すると共に、外装材端縁部を雨漏的露出から保護する固定防水方法であって；
前記押圧部材（Ａ）は、（イ）一方の表面が前記外装材に直接に接触する押圧接触面であり、もう一方の反対側表面が固定作業面である押圧平板部、（ロ）前記固定作業面に設けた第１嵌合部、（ハ）前記固定作業面側から締結具を貫通させる平板領域、及び（ニ）押圧平板部の保護端縁部先端から押圧接触面側の方向に突出させて設けたヒサシ部を有すること；
前記保護部材（Ｃ）は、（イ）一方の端部に位置する第２嵌合部、（ロ）前記第２嵌合部の反対側の端部に位置するカバー部、及び（ハ）前記第２嵌合部と前記カバー部とを連結する連結部を有すること；
前記押圧部材（Ａ）と前記保護部材（Ｃ）とは、前記締結具（Ｂ）が前記平板領域から露出した端部を前記保護部材（Ｃ）のカバー部によって覆うことができるように両者を嵌合連結させること； 
を特徴とし、前記固定防水方法が
（１）前記押圧部材（Ａ）を、押圧接触面側で前記外装材に直接に接触させて保護対象の外装材端縁部に沿って、しかも、前記押圧部材（Ａ）のヒサシ部で保護対象の外装材端縁部を覆うように敷設する工程；
（２）敷設された前記押圧部材（Ａ）を、前記押圧部材（Ａ）と建造物外壁との間に外装材を挟んで押圧した状態で、前記締結具（Ｂ）により、前記押圧部材（Ａ）と前記外装材とを貫通させて建造物外壁に固定する工程； 
（３）前記締結具（Ｂ）が前記平板領域から露出した端部については、
（３−１ａ）前記締結具（Ｂ）が前記平板領域から露出した端部を内部シーリング材で被覆した後に、前記保護部材（Ｃ）を前記押圧部材（Ａ）に嵌合連結させることにより押圧平板部の固定作業面とカバー部の内側表面との間に締結具保護空間を形成するか；あるいは
（３−１ｂ）前記保護部材（Ｃ）を前記押圧部材（Ａ）に嵌合連結させることにより押圧平板部の固定作業面とカバー部の内側表面との間に締結具保護空間を形成させた後に、その締結具保護空間の奥の方に内部シーリング材を充填した後、
（３−２）前記締結具保護空間の開口側に開口部シーリング材を充填する工程
を実施する
ことを特徴とする、前記固定防水方法にも関する。
【００１０】
また、本発明は、建造物外壁の閉鎖型コーナー部の略水平壁面に位置する外装材端縁部に対して、
（Ａ）建造物外壁に敷設された外装材と直接に接触して外装材端縁領域を建造物外壁に押圧することのできる押圧部材と、
（Ｂ）前記押圧部材及び前記外装材端縁領域を貫通して、前記押圧部材によって外装材端縁領域を建造物外壁に押圧固定することのできる締結具と、
（Ｃ）前記押圧部材との嵌合連結が可能な保護部材と
の組合せによって、外装材端縁領域を前記建造物外壁に固定すると共に、外装材端縁部を雨漏的露出から保護する固定防水構造であって；
前記押圧部材（Ａ）は、（イ）一方の表面が前記外装材に直接に接触する押圧接触面であり、もう一方の反対側表面が固定作業面である押圧平板部、（ロ）前記固定作業面に設けた第１嵌合部、及び（ハ）前記固定作業面側から締結具を貫通させる平板領域を有すること；
前記保護部材（Ｃ）は、（イ）一方の端部に位置する第２嵌合部、（ロ）前記第２嵌合部の反対側の端部に位置するカバー部、及び（ハ）前記第２嵌合部と前記カバー部とを連結する連結部を有すること；
前記押圧部材（Ａ）と前記保護部材（Ｃ）とは、前記締結具（Ｂ）が前記平板領域から露出した端部を前記保護部材（Ｃ）のカバー部によって覆うことができるように両者を嵌合連結させること；
前記押圧部材（Ａ）は、押圧接触面側で前記外装材に直接に接触して保護対象の外装材端縁部に沿って、しかも、前記第１嵌合部及び前記第２嵌合部の嵌合連結部と前記閉鎖型コーナー部の略立設壁面と間に、シーリング材が充填可能な端縁保護空間を形成するように敷設されること；
前記押圧部材（Ａ）と前記保護部材（Ｃ）とが嵌合連結され、しかも前記押圧部材（Ａ）が前記締結具（Ｂ）により建造物外壁に固定された状態で、押圧平板部の固定作業面と、カバー部の内側表面との間に形成される締結具保護空間は、奥の方に充填される内部シーリング材と、開口側に充填される開口部シーリング材によって保護されること；及び 
前記端縁保護空間は、奥の方に充填される内部シーリング材と、開口側に充填される開口部シーリング材によって保護されること；
を特徴とする、前記固定防水構造にも関する。
【００１１】
本発明は、また、建造物外壁の閉鎖型コーナー部の略水平壁面に位置する外装材端縁部に対して、
（Ａ）建造物の外壁に敷設された外装材と直接に接触して外装材端縁領域を建造物外壁に押圧することのできる押圧部材と、
（Ｂ）前記押圧部材及び前記外装材端縁領域を貫通して、前記押圧部材によって外装材端縁領域を建造物外壁に押圧固定することのできる締結具と、
（Ｃ）前記押圧部材との嵌合連結が可能な保護部材と
の組合せによって、外装材端縁領域を前記建造物外壁に固定すると共に、外装材端縁部を雨漏的露出から保護する固定防水方法であって；
前記押圧部材（Ａ）は、（イ）一方の表面が前記外装材に直接に接触する押圧接触面であり、もう一方の反対側表面が固定作業面である押圧平板部、（ロ）前記固定作業面に設けた第１嵌合部、及び（ハ）前記固定作業面側から締結具を貫通させる平板領域を有すること；
前記保護部材（Ｃ）は、（イ）一方の端部に位置する第２嵌合部、（ロ）前記第２嵌合部の反対側の端部に位置するカバー部、及び（ハ）前記第２嵌合部と前記カバー部とを連結する連結部を有すること；
前記押圧部材（Ａ）と前記保護部材（Ｃ）とは、前記締結具（Ｂ）が前記平板領域から露出した端部を前記保護部材（Ｃ）のカバー部によって覆うことができるように両者を嵌合連結させること；
を特徴とし、前記固定防水方法が
（１）前記押圧部材（Ａ）を、押圧接触面側で前記外装材に直接に接触させて保護対象の外装材端縁部に沿って、しかも、前記第１嵌合部及び前記第２嵌合部から形成される嵌合連結部と前記閉鎖型コーナー部の立設壁面と間に、シーリング材が充填可能な端縁保護空間を形成するように敷設する工程；及び
（２）敷設された前記押圧部材（Ａ）を、前記押圧部材（Ａ）と建造物外壁との間に外装材を挟んで押圧した状態で、前記締結具（Ｂ）により、前記押圧部材（Ａ）と前記外装材とを貫通させて建造物外壁に固定する工程； 
を実施した後、
（３）前記締結具（Ｂ）が前記平板領域から露出した端部については、
（３−１ａ）前記締結具（Ｂ）が前記平板領域から露出した端部を内部シーリング材で被覆した後に、前記保護部材（Ｃ）を前記押圧部材（Ａ）に嵌合連結させることにより押圧平板部の固定作業面とカバー部の内側表面との間に締結具保護空間を形成するか；あるいは
（３−１ｂ）前記保護部材（Ｃ）を前記押圧部材（Ａ）に嵌合連結させることにより押圧平板部の固定作業面とカバー部の内側表面との間に締結具保護空間を形成させた後に、その締結具保護空間の奥の方に内部シーリング材を充填した後、
（３−２）前記締結具保護空間の開口側に開口部シーリング材を充填する工程
を実施し、
（４）前記端縁保護空間については、
（４−１）前記端縁保護空間の奥の方に内部シーリング材を充填した後、
（４−２）前記端縁保護空間の開口側に開口部シーリング材を充填する工程
を実施することを特徴とする、前記固定防水方法にも関する。
【００１２】
本発明は、更に、建造物外壁の上方開放型コーナー部の略垂直壁面に位置する外装材端縁部に対して、
（Ａ）建造物外壁に敷設された外装材と直接に接触して外装材端縁領域を建造物外壁に押圧することのできる押圧部材と、
（Ｂ）前記押圧部材及び前記外装材端縁領域を貫通して、前記押圧部材によって外装材端縁領域を建造物外壁に押圧固定することのできる締結具と、
（Ｃ）前記押圧部材との嵌合連結が可能な保護部材と
の組合せによって、外装材端縁領域を前記建造物外壁に固定すると共に、外装材端縁部を雨漏的露出から保護する固定防水構造であって；
前記押圧部材（Ａ）は、（イ）一方の表面が前記外装材に直接に接触する押圧接触面であり、もう一方の反対側表面が固定作業面である押圧平板部、（ロ）前記固定作業面に設けた第１嵌合部、及び（ハ）前記固定作業面側から締結具を貫通させる平板領域を有すること；
前記保護部材（Ｃ）は、（イ）一方の端部に位置する第２嵌合部、（ロ）前記第２嵌合部の反対側の端部に位置するカバー部、及び（ハ）前記第２嵌合部と前記カバー部とを連結する連結部を有すること；
前記押圧部材（Ａ）と前記保護部材（Ｃ）とは、前記締結具（Ｂ）が前記平板領域から露出した端部を前記保護部材（Ｃ）のカバー部によって覆うことができるように両者を嵌合連結させること；
前記押圧部材（Ａ）は、押圧接触面側で前記外装材に直接に接触して保護対象の外装材端縁部に沿って、しかも、前記押圧部材（Ａ）の保護端縁部が、保護対象の外装材端縁部及びコーナー部を越えて敷設されること；
保護対象の外装材端縁部は、押圧平板部の保護端縁部側の押圧接触面と建造物外壁との間に形成される端縁保護空間において、奥の方に充填される内部シーリング材と、開口側に充填される開口部シーリング材によって保護されるか、あるいは、押圧平板部の保護端縁部先端から押圧接触面側に突出させて設けたヒサシ部で覆われることによって保護されること；
を特徴とする、前記固定防水構造にも関する。
【００１３】
本発明は、また、建造物外壁の上方開放型コーナー部の略垂直壁面に位置する外装材端縁部に対して、
（Ａ）建造物の外壁に敷設された外装材と直接に接触して外装材端縁領域を建造物外壁に押圧することのできる押圧部材と、
（Ｂ）前記押圧部材及び前記外装材端縁領域を貫通して、前記押圧部材によって外装材端縁領域を建造物外壁に押圧固定することのできる締結具と、
（Ｃ）前記押圧部材との嵌合連結が可能な保護部材と
の組合せによって、外装材端縁領域を前記建造物外壁に固定すると共に、外装材端縁部を雨漏的露出から保護する固定防水方法であって；
前記押圧部材（Ａ）は、（イ）一方の表面が前記外装材に直接に接触する押圧接触面であり、もう一方の反対側表面が固定作業面である押圧平板部、（ロ）前記固定作業面に設けた第１嵌合部、及び（ハ）前記固定作業面側から締結具を貫通させる平板領域を有すること；
前記保護部材（Ｃ）は、（イ）一方の端部に位置する第２嵌合部、（ロ）前記第２嵌合部の反対側の端部に位置するカバー部、及び（ハ）前記第２嵌合部と前記カバー部とを連結する連結部を有すること；
前記押圧部材（Ａ）と前記保護部材（Ｃ）とは、前記締結具（Ｂ）が前記平板領域から露出した端部を前記保護部材（Ｃ）のカバー部によって覆うことができるように両者を嵌合連結させること；
を特徴とし、前記固定防水方法が
（１）前記押圧部材（Ａ）を、押圧接触面側で前記外装材に直接に接触させて保護対象の外装材端縁部に沿って、しかも、前記押圧部材（Ａ）の保護端縁部が、保護対象の外装材端縁部及びコーナー部を越えて敷設し、押圧平板部の保護端縁部側の押圧接触面と建造物外壁との間に端縁保護空間を形成する工程；及び
（２）敷設された前記押圧部材（Ａ）を、前記押圧部材（Ａ）と建造物外壁との間に外装材を挟んで押圧した状態で、前記締結具（Ｂ）により、前記押圧部材（Ａ）と前記外装材とを貫通させて建造物外壁に固定する工程； 
を実施した後、
（３ａ）前記保護部材（Ｃ）を前記押圧部材（Ａ）に嵌合連結させる工程；及び
（３ｂ）前記端縁保護空間の奥の方に内部シーリング材を充填した後、開口側に開口部シーリング材を充填する工程
を任意の順序で実施することを特徴とする、前記固定防水方法にも関する。
【００１４】
本発明は、さらに、建造物外壁の上方開放型コーナー部の略垂直壁面に位置する外装材端縁部に対して、
（Ａ）建造物の外壁に敷設された外装材と直接に接触して外装材端縁領域を建造物外壁に押圧することのできる押圧部材と、
（Ｂ）前記押圧部材及び前記外装材端縁領域を貫通して、前記押圧部材によって外装材端縁領域を建造物外壁に押圧固定することのできる締結具と、
（Ｃ）前記押圧部材との嵌合連結が可能な保護部材と
の組合せによって、外装材端縁領域を前記建造物外壁に固定すると共に、外装材端縁部を雨漏的露出から保護する固定防水方法であって；
前記押圧部材（Ａ）は、（イ）一方の表面が前記外装材に直接に接触する押圧接触面であり、もう一方の反対側表面が固定作業面である押圧平板部、（ロ）前記固定作業面に設けた第１嵌合部、（ハ）前記固定作業面側から締結具を貫通させる平板領域、及び（ニ）押圧平板部の保護端縁部先端から押圧接触面側の方向に突出させて設けたヒサシ部を有すること；
前記保護部材（Ｃ）は、（イ）一方の端部に位置する第２嵌合部、（ロ）前記第２嵌合部の反対側の端部に位置するカバー部、及び（ハ）前記第２嵌合部と前記カバー部とを連結する連結部を有すること；
前記押圧部材（Ａ）と前記保護部材（Ｃ）とは、前記締結具（Ｂ）が前記平板領域から露出した端部を前記保護部材（Ｃ）のカバー部によって覆うことができるように両者を嵌合連結させること；
を特徴とし、前記固定防水方法が
（１）前記押圧部材（Ａ）を、押圧接触面側で前記外装材に直接に接触させて保護対象の外装材端縁部に沿って、しかも、前記押圧部材（Ａ）のヒサシ部で保護対象の外装材端縁部を覆うように敷設する工程；及び
（２）敷設された前記押圧部材（Ａ）を、前記押圧部材（Ａ）と建造物外壁との間に外装材を挟んで押圧した状態で、前記締結具（Ｂ）により、前記押圧部材（Ａ）と前記外装材とを貫通させて建造物外壁に固定する工程； 
を実施した後、
（３ａ）前記保護部材（Ｃ）を前記押圧部材（Ａ）に嵌合連結させる工程；及び
（３ｂ）押圧平板部の保護端縁部側の押圧接触面と建造物外壁とヒサシ部との間に形成される端縁保護空間の奥の方に内部シーリング材を充填した後、開口側に開口部シーリング材を充填する
を任意の順序で実施することを特徴とする、前記固定防水方法にも関する。
【００１５】
本発明は、更に、建造物外壁の上方閉鎖型コーナー部の略垂直壁面に位置する外装材端縁部に対して、
（Ａ）建造物外壁に敷設された外装材と直接に接触して外装材端縁領域を建造物外壁に押圧することのできる押圧部材と、
（Ｂ）前記押圧部材及び前記外装材端縁領域を貫通して、前記押圧部材によって外装材端縁領域を建造物外壁に押圧固定することのできる締結具と、
（Ｃ）前記押圧部材との嵌合連結が可能な保護部材と
の組合せによって、外装材端縁領域を前記建造物外壁に固定すると共に、外装材端縁部を雨漏的露出から保護する固定防水構造であって；
前記押圧部材（Ａ）は、（イ）一方の表面が前記外装材に直接に接触する押圧接触面であり、もう一方の反対側表面が固定作業面である押圧平板部、（ロ）前記固定作業面に設けた第１嵌合部、及び（ハ）前記固定作業面側から締結具を貫通させる平板領域を有すること；
前記保護部材（Ｃ）は、（イ）一方の端部に位置する第２嵌合部、（ロ）前記第２嵌合部の反対側の端部に位置するカバー部、及び（ハ）前記第２嵌合部と前記カバー部とを連結する連結部を有すること；
前記押圧部材（Ａ）と前記保護部材（Ｃ）とは、前記締結具（Ｂ）が前記平板領域から露出した端部を前記保護部材（Ｃ）のカバー部によって覆うことができるように両者を嵌合連結させること；
前記押圧部材（Ａ）は、押圧接触面側で前記外装材に直接に接触して保護対象の外装材端縁部に沿って、しかも、前記第１嵌合部及び前記第２嵌合部の嵌合連結部と前記閉鎖型コーナー部の略水平壁面との間に、シーリング材が充填可能な端縁保護空間を形成するように敷設されること；及び
前記端縁保護空間は、奥の方に充填される内部シーリング材と、開口側に充填される開口部シーリング材によって保護されること；
を特徴とする、前記固定防水構造にも関する。
【００１６】
本発明は、更に、建造物外壁の上方閉鎖型コーナー部の略垂直壁面に位置する外装材端縁部に対して、
（Ａ）建造物の外壁に敷設された外装材と直接に接触して外装材端縁領域を建造物外壁に押圧することのできる押圧部材と、
（Ｂ）前記押圧部材及び前記外装材端縁領域を貫通して、前記押圧部材によって外装材端縁領域を建造物外壁に押圧固定することのできる締結具と、
（Ｃ）前記押圧部材との嵌合連結が可能な保護部材と
の組合せによって、外装材端縁領域を前記建造物外壁に固定すると共に、外装材端縁部を雨漏的露出から保護する固定防水方法であって；
前記押圧部材（Ａ）は、（イ）一方の表面が前記外装材に直接に接触する押圧接触面であり、もう一方の反対側表面が固定作業面である押圧平板部、（ロ）前記固定作業面に設けた第１嵌合部、及び（ハ）前記固定作業面側から締結具を貫通させる平板領域を有すること；
前記保護部材（Ｃ）は、（イ）一方の端部に位置する第２嵌合部、（ロ）前記第２嵌合部の反対側の端部に位置するカバー部、及び（ハ）前記第２嵌合部と前記カバー部とを連結する連結部を有すること；
前記押圧部材（Ａ）と前記保護部材（Ｃ）とは、前記締結具（Ｂ）が前記平板領域から露出した端部を前記保護部材（Ｃ）のカバー部によって覆うことができるように両者を嵌合連結させること；
を特徴とし、前記固定防水方法が
（１）前記押圧部材（Ａ）を、押圧接触面側で前記外装材に直接に接触させて保護対象の外装材端縁部に沿って、しかも、前記第１嵌合部及び前記第２嵌合部の嵌合連結部と前記閉鎖型コーナー部の略水平壁面と間に、シーリング材が充填可能な端縁保護空間を形成するように敷設する工程；及び 
（２）敷設された前記押圧部材（Ａ）を、前記押圧部材（Ａ）と建造物外壁との間に外装材を挟んで押圧した状態で、前記締結具（Ｂ）により、前記押圧部材（Ａ）と前記外装材とを貫通させて建造物外壁に固定する工程； 
を実施した後、
（３−１ａ）前記第１嵌合部と前記閉鎖型コーナー部の略水平壁面と間に、内部シーリング材を充填してから、前記保護部材（Ｃ）を前記押圧部材（Ａ）に嵌合連結させることにより前記端縁保護空間を形成した後；あるいは
（３−１ｂ）前記保護部材（Ｃ）を前記押圧部材（Ａ）に嵌合連結させることにより前記端縁保護空間を形成させてから、端縁保護空間の奥の方に内部シーリング材を充填した後、
（３−２）前記端縁保護空間の開口側に開口部シーリング材を充填する工程
を実施することを特徴とする、前記固定防水方法にも関する。
【００１７】
本発明は、更に、建造物外壁の略垂直壁面に下方向きに位置する外装材端縁部に対して、
（Ａ）建造物外壁に敷設された外装材と直接に接触して外装材端縁領域を建造物外壁に押圧することのできる押圧部材と、
（Ｂ）前記押圧部材及び前記外装材端縁領域を貫通して、前記押圧部材によって外装材端縁領域を建造物外壁に押圧固定することのできる締結具と、
（Ｃ）前記押圧部材との嵌合連結が可能な保護部材と
の組合せによって、外装材端縁領域を前記建造物外壁に固定すると共に、外装材端縁部を雨漏的露出から保護する固定防水構造であって；
前記押圧部材（Ａ）は、（イ）一方の表面が前記外装材に直接に接触する押圧接触面であり、もう一方の反対側表面が固定作業面である押圧平板部、（ロ）前記固定作業面に設けた第１嵌合部、及び（ハ）前記固定作業面側から締結具を貫通させる平板領域を有すること；
前記保護部材（Ｃ）は、（イ）一方の端部に位置する第２嵌合部、（ロ）前記第２嵌合部の反対側の端部に位置するカバー部、及び（ハ）前記第２嵌合部と前記カバー部とを連結する連結部を有すること； 
前記押圧部材（Ａ）と前記保護部材（Ｃ）とは、前記締結具（Ｂ）が前記平板領域から露出した端部を前記保護部材（Ｃ）のカバー部によって覆うことができるように両者を嵌合連結させること；
前記押圧部材（Ａ）は、押圧接触面側で前記外装材に直接に接触して保護対象の外装材端縁部に沿って、しかも、前記押圧部材（Ａ）の保護端縁部が、保護対象の外装材端縁部を下方に越えて敷設されること；及び
前記押圧部材（Ａ）と前記保護部材（Ｃ）とが嵌合連結され、しかも前記押圧部材（Ａ）が締結具により建造物外壁に固定された状態で、前記第１嵌合部及び前記第２嵌合部の嵌合連結部と略垂直壁面との間に形成される連結部保護空間は、奥の方に充填される内部シーリング材と、開口側に充填される開口部シーリング材によって保護されること； 
を特徴とする、前記固定防水構造にも関する。
【００１８】
本発明は、更に、建造物外壁の略垂直壁面に下方向きに位置する外装材端縁部に対して、
（Ａ）建造物外壁に敷設された外装材と直接に接触して外装材端縁領域を建造物外壁に押圧することのできる押圧部材と、
（Ｂ）前記押圧部材及び前記外装材端縁領域を貫通して、前記押圧部材によって外装材端縁領域を建造物外壁に押圧固定することのできる締結具と、
（Ｃ）前記押圧部材との嵌合連結が可能な保護部材と
の組合せによって、外装材端縁領域を前記建造物外壁に固定すると共に、外装材端縁部を雨漏的露出から保護する固定防水方法であって；
前記押圧部材（Ａ）は、（イ）一方の表面が前記外装材に直接に接触する押圧接触面であり、もう一方の反対側表面が固定作業面である押圧平板部、（ロ）前記固定作業面に設けた第１嵌合部、及び（ハ）前記固定作業面側から締結具を貫通させる平板領域を有すること；
前記保護部材（Ｃ）は、（イ）一方の端部に位置する第２嵌合部、（ロ）前記第２嵌合部の反対側の端部に位置するカバー部、及び（ハ）前記第２嵌合部と前記カバー部とを連結する連結部を有すること； 
前記押圧部材（Ａ）と前記保護部材（Ｃ）とは、前記締結具（Ｂ）が前記平板領域から露出した端部を前記保護部材（Ｃ）のカバー部によって覆うことができるように両者を嵌合連結させること；
を特徴とし、前記固定防水方法が
（１）前記押圧部材（Ａ）を、押圧接触面側で前記外装材に直接に接触させて保護対象の外装材端縁部に沿って、しかも、前記押圧部材（Ａ）の保護端縁部が、保護対象の外装材端縁部を下方向に越えるように敷設する工程；及び
（２）敷設された前記押圧部材（Ａ）を、前記押圧部材（Ａ）と建造物外壁との間に外装材を挟んで押圧した状態で、前記締結具（Ｂ）により、前記押圧部材（Ａ）と前記外装材とを貫通させて建造物外壁に固定する工程； 
を実施した後、
（３）前記第１嵌合部と前記略垂直壁面との間に形成される連結部保護空間の奥の方に内部シーリング材を充填する工程；及び
（４）前記連結部保護空間の開口側に開口部シーリング材を充填する工程；
を実施し、
前記工程（３）の前、前記工程（３）と前記工程（４）との間、又は前記工程（４）の後に、
（５）前記保護部材（Ｃ）を前記押圧部材（Ａ）に嵌合連結させることにより締結具保護空間を形成工程；
を実施することを特徴とする、前記固定防水方法にも関する。
【００１９】
更にまた、本発明は、
（Ａ）建造物外壁に敷設された外装材と直接に接触して外装材端縁領域を建造物外壁に押圧することのできる押圧部材と、
（Ｂ）前記押圧部材を貫通して、前記押圧部材によって外装材端縁領域を建造物外壁に押圧固定することのできる締結具と、
（Ｃ）前記押圧部材との嵌合連結が可能な保護部材と、
（Ｄ）内部シーリング材と、
（Ｅ）開口部シーリング材と
の組合せを含み、
建造物外壁に敷設される外装材の端縁領域を前記建造物外壁に固定すると共に、外装材端縁部を雨漏的露出から保護するための固定防水具セットであって；
前記押圧部材（Ａ）は、（イ）一方の表面が前記外装材に直接に接触する押圧接触面であり、もう一方の反対側表面が固定作業面である押圧平板部、（ロ）前記固定作業面に設けた第１嵌合部、及び（ハ）前記固定作業面側から締結具を貫通させる平板領域を有すること；
前記保護部材（Ｃ）は、（イ）一方の端部に位置する第２嵌合部、（ロ）前記第２嵌合部の反対側の端部に位置するカバー部、及び（ハ）前記第２嵌合部と前記カバー部とを連結する連結部を有すること； 
前記押圧部材（Ａ）と前記保護部材（Ｃ）とは、前記締結具（Ｂ）が前記前記平板領域から露出した端部を前記保護部材（Ｃ）のカバー部によって覆うことができるように両者を嵌合連結可能であること；  
特徴とする、固定防水具セットにも関する。
【００２０】
本明細書において、上下の位置関係（例えば、「上方」又は「下方」）は、本発明の固定防水構造や固定防水具セットが建造物外壁に適用された場合の上下関係（重力方向）のみを示しており、それ以外の状態（例えば、固定防水具セットの搬送時又は組み立て前の状態）での位置関係を限定するものではない。
【発明の効果】
【００２１】
本発明においては、外装材の端縁領域を、ネジやビスなどの締結具により、建造物の外壁本体に堅固に固定することができるだけでなく、外装材の端縁部から雨水などが侵入することを有効に防止することができる。また、外装材の端縁領域の固定に用いた締結具（例えば、ネジやビス）の利用によって生じる隙間からの雨漏も有効に防止することができる。
【００２２】
更に、本発明による固定防水具セットは、防水処理用シーリング材を２回に分けて充填する操作が容易になる構造を有している。従って、外装材と直接に接触する内部シーリング材として外装材と親和性の高いシーリング材を使用することによって高密閉性を得ることが可能になると共に、内部シーリング材の外側に充填する開口部シーリング材として耐候性の高いシーリング材を用いることにより、高耐性を得ることができる。また、シーリング材の充填操作を２回に分けて実施することになり、充填ミスの点検が十分に実施される利点もある。
【図面の簡単な説明】
【００２３】
【図１】本発明で使用する押圧部材の端部領域部分の模式的斜視図である。
【図２】本発明で使用する保護部材の端部領域部分の模式的斜視図である。
【図３】図１の押圧部材と図２の保護部材とを嵌合連結させた状態（端部領域部分）を示す模式的斜視図である。
【図４】本発明で使用する別の態様の押圧部材（端部領域部分）及び保護部材（端部領域部分）の嵌合連結状態の組合せを分解した状態を示す模式的斜視図である。
【図５】本発明で使用する更に別の態様の押圧部材（端部領域部分）及び保護部材（端部領域部分）の嵌合連結状態の組合せを分解した状態を示す模式的斜視図である。
【図６】建造物の開放型コーナー部の垂直壁面に上方向に敷設された外装材端縁部に対して、本発明による固定防水構造を適用した場合を示す模式的断面図である。
【図７】図６と同様の外装材端縁部に対して、本発明による別の態様の固定防水構造を適用した場合を示す模式的断面図である。
【図８】建造物の閉鎖型コーナー部の垂直壁面に上方向に敷設された外装材端縁部に対して、本発明による固定防水構造を適用した場合を示す模式的断面図である。
【図９】図８と同様の外装材端縁部に対して、本発明による別の態様の固定防水構造を適用した場合を示す模式的断面図である。
【図１０】図８と同様の外装材端縁部に対して、本発明による更に別の態様の固定防水構造を適用した場合を示す模式的断面図である。
【図１１】建造物の開放型コーナー部の水平壁面に敷設された外装材端縁部に対して、本発明による固定防水構造を適用した場合を示す模式的断面図である。
【図１２】図１１と同様の外装材端縁部に対して、本発明による別の態様の固定防水構造を適用した場合を示す模式的断面図である。
【図１３】図１１と同様の外装材端縁部に対して、本発明による更に別の態様の固定防水構造を適用した場合を示す模式的断面図である。
【図１４】図１１と同様の外装材端縁部に対して、本発明による更に別の態様の固定防水構造を適用した場合を示す模式的断面図である。
【図１５】建造物の閉鎖型コーナー部の水平壁面に敷設された外装材端縁部に対して、本発明による固定防水構造を適用した場合を示す模式的断面図である。
【図１６】建造物の垂直壁面に下方向に敷設された外装材端縁部に対して、本発明による固定防水構造を適用した場合を示す模式的断面図である。
【図１７】建造物の閉鎖型コーナー部の垂直壁面に下方向に敷設された外装材端縁部に対して、本発明による固定防水構造を適用した場合を示す模式的断面図である。
【図１８】従来技術における防水構造を示す模式的断面図である。
【００２４】
図１〜図１８は、本発明及び従来技術の固定防水構造を説明することが主目的であるので、押圧部材、保護部材、内部シーリング材、開口部シーリング材、外装材（特に、防水シート）、及び建造物外壁の厚さを誇張して示しており、それらの相対比は正確なものではない。また、締結具などの大きさも誇張して示しており、押圧部材、保護部材、シーリング材や外装材（特に、防水シート）との大きさの相対比も正確なものではない。
【発明を実施するための形態】
【００２５】
〔１〕本発明の適用対象
本発明による固定防水構造及び固定防水具セットは、建造物（例えば、ビル）、特にコンクリート建造物の外壁に設けた外装材（例えば、外壁材、屋根材、又は防水材）に適用することができる。また、外壁は、降雨水などと接触する外壁であり、例えば、屋外に露出する建造物外壁、屋上床面、ベランダ床面、又は屋上設備の外壁などを含む。
これらの外装材の端縁領域は、建造物の外壁に、ネジやビスなどの締結具で、堅固に固定させることが必要な場合がある。本発明による固定防水構造及び固定防水具セットは、ネジやビスなどの締結具を外装材自体に貫通させて外壁に固定させる方式の固定方法に適用するのに適している。このような場合には、外装材の端縁部への防水処理が必要になるだけではなく、締結具によって生じる外装材貫通孔などに対する防水処理が必要になる。
【００２６】
外装材は種々の態様で建造物外壁に敷設されており、その端縁部は、種々の位置に存在する。例えば、図１８（ａ）に示すように、水平外壁面（屋上床面）８４Ｒの上に外装材（防水シート）８１を水平に敷設し、端縁部８２ａが水平外壁面（屋上床面）８４Ｒのコーナー部に露出する場合や、図１８（ｂ）に示すように、垂直外壁面（立設壁面）８４Ｂの上に外装材（防水シート）８１ｂを垂直に敷設し、端縁部８２ｂが垂直外壁面（立設壁面）８４Ｂと上方壁面８４Ｃとのコーナー部に位置する場合などがある。
【００２７】
本発明による固定防水構造及び固定防水具セットは、任意の位置の外装材端縁部に対して適用させることができる。最初に、図６〜図１７を参照して、本発明の固定防水構造及び固定防水具セットの適用が可能な外装材端縁部の位置を説明する。
本発明の固定防水構造及び固定防水具セットの適用が可能な外装材端縁部の第１の位置は、上方開放型コーナー部の略垂直壁面に上向きに配置されている場合である。図６及び図７に示すように、外壁８４の上部壁面８４Ｕと立直壁面８４Ｖとによって形成されるコーナー部８４Ｋは、立直壁面８４Ｖの上部に壁面が存在しないので、本明細書においては、このコーナー部８４Ｋを上方開放型コーナー部と称する。また、立直壁面８４Ｖは、図６及び図７に示すように正確に垂直方向（重力方向）に限定されるだけでなく、図７の矢印Ａ及びＢに示すように、垂直面から＋４５°又は−４５°の範囲で傾斜していてもよく、本明細書においては、正確な垂直方向（重力方向）に加えて、±４５°の範囲で傾斜する壁面を含めて略垂直壁面と称する。
【００２８】
本発明の固定防水構造及び固定防水具セットの適用が可能な外装材端縁部の第２の位置は、上方閉鎖型コーナー部の略垂直壁面に上向きに配置されている場合である。図８〜図１０に示すように、天井外壁８４Ｃの上部壁面８４Ｕと立直外壁８４Ｂの立直壁面８４Ｖとによって形成されるコーナー部８４Ｈは、立直壁面８４Ｖの上部に上部壁面８４Ｕが存在するので、本明細書においては、このコーナー部８４Ｈを上方閉鎖型コーナー部と称する。また、立直壁面８４Ｖは、図８〜図１０に示すように正確に垂直方向（重力方向）に限定されるだけでなく、図６及び図７で説明したように、垂直面から＋４５°又は−４５°の範囲で傾斜していてもよく、本明細書においては、正確な垂直方向（重力方向）に加えて、±４５°の範囲で傾斜する壁面を含めて略垂直壁面と称する。
【００２９】
本発明の固定防水構造及び固定防水具セットの適用が可能な外装材端縁部の第３の位置は、開放型コーナー部の略水平壁面（略水平の床面：すなわち、下方に存在する略水平壁面の上に外装材を載置する場合）において、コーナー部の方向に配置されている場合である。図６及び図７に示したコーナー部８４Ｋと同様に、図１１〜図１４に示すコーナー部８４Ｋは、外壁８４の上部水平壁面８４Ｕと立直壁面８４Ｖとによって形成され、上部水平壁面８４Ｕの前方（外装材端面が向かう方向）に壁面が存在しないので、本明細書においては、このコーナー部８４Ｋを開放型コーナー部と称する。また、上部壁面８４Ｕは、図１１及び図１４に示すように正確に水平方向に限定されるだけでなく、図１１の矢印Ｃ及びＤに示すように、水平面から＋４５°又は−４５°の範囲で傾斜していてもよく、本明細書においては、正確な水平方向に加えて、±４５°の範囲で傾斜する壁面を含めて略水平壁面と称する。
【００３０】
また、本発明の固定防水構造及び固定防水具セットの適用が可能な外装材端縁部の第４の位置は、開放型コーナー部の略水平壁面（略水平の天井面：すなわち、上方に存在する略水平壁面の表面に外装材を下方向から上方向に向けて載置する場合）において、コーナー部の方向に配置されている場合である。この場合は、前記第３の位置の説明がそのまま当てはまるので、詳細な説明は省略する。
【００３１】
本発明の固定防水構造及び固定防水具セットの適用が可能な外装材端縁部の第５の位置は、閉鎖型コーナー部の略水平壁面（略水平の床面：すなわち、下方に存在する略水平壁面の上に外装材を上方側から下方向に向けて載置する場合）において、コーナー部の方向に配置されている場合である。図１５に示すコーナー部８４Ｈは、立直外壁８４Ｂの立直壁面８４Ｖと床８４Ｃの水平床面８４Ｆとによって形成され、防水シート（外装材）８２を担持する水平床面８４Ｆの前方に立直壁面８４Ｖが存在するので、本明細書においては、このコーナー部８４Ｈを閉鎖型コーナー部と称する。また、水平床面８４Ｆは、図１５に示すように正確に水平方向に限定されるだけでなく、図１５の矢印Ｅ及びＦに示すように、水平面から＋４５°又は−４５°の範囲で傾斜していてもよく、本明細書においては、正確な水平方向に加えて、±４５°の範囲で傾斜する壁面を含めて略水平壁面と称する。
【００３２】
また、本発明の固定防水構造及び固定防水具セットの適用が可能な外装材端縁部の第６の位置は、閉鎖型コーナー部の略水平壁面（略水平の天井面：すなわち、上方に存在する略水平壁面の表面に外装材を下方向から上方向に向けて載置する場合）において、コーナー部の方向に配置されている場合である。この場合は、前記第５の位置の説明がそのまま当てはまるので、詳細な説明は省略する。
【００３３】
本発明の固定防水構造及び固定防水具セットの適用が可能な外装材端縁部の第７の位置は、略垂直壁面に下方向きに配置されている場合である。図１６及び図１７に示すように、防水シート（外装材）８２を担持する立直壁面８４Ｖにおいて、外装材端縁部８２の下方が開放型コーナー部８４Ｋ（図１６）であっても、閉鎖型コーナー部８４Ｈ（図１７）であっても、あるいは、外装材端縁部に近接するコーナー部が存在しない場合（図示せず）でも、本発明の固定防水構造及び固定防水具セットの適用方法に差異はないため、略垂直壁面に下方向きに配置されている場合を、一括して、第７の位置として説明する。なお、立直壁面８４Ｖは、図１６及び図１７に示すように正確に垂直方向（重力方向）に限定されるだけでなく、図１６の矢印Ｇ及びＨに示すように、垂直面から＋４５°又は−４５°の範囲で傾斜していてもよく、本明細書においては、正確な垂直方向（重力方向）に加えて、±４５°の範囲で傾斜する壁面を含めて略垂直壁面と称する。
【００３４】
本明細書においては、略垂直壁面と略水平壁面とが、それぞれ４５°で傾斜する場合に重複することになるが、４５°で傾斜する場合には、略垂直壁面との立場で本発明を適用しても、略水平壁面との立場で本発明を適用してもよい。
【００３５】
〔２〕固定防水具セット
次に、図１〜図５に沿って、本発明の固定防水具セットの具体的実施態様を説明する。
図１は、本発明の固定防水構造及び固定防水方法に使用することのできる押圧部材１の代表的態様の端部領域の模式的部分斜視図であり、図２は、図１の押圧部材１と組合せて使用することのできる保護部材３の代表的態様の端部領域の模式的部分斜視図である。図３は、図１の押圧部材１と図２の保護部材３と組合せて嵌合連結させた状態の模式的部分斜視図である。
【００３６】
本発明による固定防水具セットは、建造物外壁に敷設される外装材の端縁領域を前記建造物外壁に固定すると共に、外装材端縁部を雨漏的露出から保護するために使用することができる。ここで、雨漏的露出から保護するとは、外装材端縁部から、雨水などが侵入して建造物の雨漏の原因となることを防止する意味である。本発明による固定防水具セットは、（Ａ）押圧部材と、（Ｂ）前記押圧部材と外装材端縁領域と建造物外壁に押圧固定することのできる締結具と、（Ｃ）保護部材と、（Ｄ）内部シーリング材と、（Ｅ）開口部シーリング材との組合せを含む。なお、後述する通り、内部シーリング材としては、それが接触する被保護材料（すなわち、保護対象の外装材端縁部又は締結具など）と親和性を有するシーリング材を用いることが好ましく、開口部シーリング材としては、耐候性を有するシーリング材を用いることが好ましい。
【００３７】
図１〜図３に示すように、前記押圧部材１は、押圧平板部１１を主要部として含み、押圧平板部１１は、一方の表面が前記外装材に直接に接触する押圧接触面２５であり、もう一方の反対側表面が固定作業面２７である。押圧接触面２５は、その全表面が、建造物外壁に敷設された外装材と直接に（すなわち、接着剤やシーリング材などを間に介在させずに）接触して外装材端縁領域を建造物外壁に押圧することができるように、外装材端縁領域の形状に沿って形成され、外装材端縁領域の形状が一般的には平坦面であるので、押圧接触面２５も一般的には平坦面である。押圧接触面２５の反対側表面は、固定作業面２７であり、一方の端部に、第１嵌合部１３を有し、第１嵌合部１３の他の領域として平板領域１５を含む。前記押圧部材１は、図１に破線で示すように、押圧平板部１１の一方の端部（保護端縁）にヒサシ部１９を備えることができる。
【００３８】
平板領域１５には、予め、締結具用貫通孔１７を備えることができる。締結具用貫通孔１７は、締結具１８による固定操作の際に形成することもできる。締結具１８は、例えば、ネジやビスであり、その先端部１８Ｔが、この締結具用貫通孔１７を貫通し、更に外装材を貫通して外装材本体に至って固定され、先端部１８Ｔとキャップ部１８Ｃとの間に前記押圧部材１と外装材（例えば、防水シート）と挟むことにより、外装材（例えば、防水シート）を建造物外壁に押圧固定することができる。締結具１８は、種々の公知の締結補助具（例えば、ナットやワッシャー）と共に用いることができる。第１嵌合部１３は、相互に平行に延びる第１帯状平板部２２と、第２帯状平板部２４との間に形成された嵌合溝２３からなり、図２で後述する保護部材３が備える第２嵌合部３２と組合せて、図３に示すように、相互に嵌合連結させることができる。
【００３９】
前記の嵌合溝２３を形成する第１帯状平板部２２及び第２帯状平板部２４は、固定作業面２７から直立する高さを同じにすることもできるし、図１に示すように、保護端縁２１の側の第１帯状平板部２２を低くしたり、高くしたりすることもできる。また、第１嵌合部１３を設ける位置も限定されず、図１に示すように、保護端縁２１に接して設けることもでき、あるいは、保護端縁２１から若干離間させて設けることもできる。更には、保護端縁２１とは反対の端部側に設けることもできる。
【００４０】
保護部材３は、一方の端部に第２嵌合部３１を備え、その第２嵌合部の反対側の端部にカバー部３３を有し、更に、前記第２嵌合部と前記カバー部との間に両者を連結する連結部３５を有する。第２嵌合部３１は、平板状であり、その先端部３２を嵌合溝２３に挿入して、図３に示すように嵌合連結させることができる。前記押圧部材１と前記保護部材３との嵌合連結は、前記締結具１８が前記貫通孔から露出した端部（キャップ部１８Ｃ）を前記保護部材３のカバー部３３によって覆い、締結具保護空間９を形成することができるように両者を嵌合連結する必要がある。図３に示す保護部材３の連結部３５は、直角屈曲連結部であり、カバー部３３は平板状カバー部であり、嵌合連結状態において、平板状カバー部３３は、押圧部材１の押圧平板部１１と平行になる。屈曲連結部は、直角屈曲連結部だけでなく、鋭角又は鈍角の屈曲連結部（図１１参照）であることもできる。また、屈曲の回数も１回に限定されず、２回ないしそれ以上の屈曲も可能である（図９参照）。また、カバー部の先端には、嵌合連結された際に、押圧部材側に突出する帯状突出部（図１１〜図１５参照）を設けることもできる。
【００４１】
図４は、本発明の固定防水構造及び固定防水方法に使用することのできる別の代表的態様の押圧部材１Ａの端部領域と別の代表的態様の保護部材３Ａの端部領域との組合せの模式的部分斜視図である。図４に示す態様においては、図１〜図３に示す態様と異なる部分についてのみ説明し、同じ部分については、同一の参照番号を付し、説明を省略する。
図４に示す態様において、押圧部材１Ａは、第１嵌合部として、挿入板部１３Ａを有し、一方、保護部材３Ａは、相互に平行に延びる第１帯状平板部と第２帯状平板部との間に形成された嵌合溝３６Ａからなる第２嵌合部３１Ａを備え、嵌合溝３６Ａに挿入板部１３Ａを挿入して嵌合連結させることができる。また、押圧部材１Ａと保護部材３Ａとを締結具（例えば、ビスやネジ）３７Ａによって一層堅固に固定することもできる。
【００４２】
なお、図４に示す態様の締結具３７Ａを操作する作業スペースが存在しない場合や、その操作作業がスペース的に困難な場合には、例えば、図５に示す態様の押圧部材１Ｂと保護部材３Ｂとの組合せを使用することもできる。図５に示す態様においても、図１〜図４に示す態様と異なる部分についてのみ説明し、同じ部分については、同一の参照番号を付し、説明を省略する。
図５に示す態様においては、押圧部材１Ｂは、第１嵌合部として挿入板部１３Ｂを有し、一方、保護部材３Ｂは、嵌合溝３６Ｂを含む第２嵌合部３１Ｂを備え、嵌合溝３６Ｂに挿入板部１３Ｂを挿入して嵌合連結させることができる。また、図４に示す態様とは別の方向から締結具（例えば、ビスやネジ）３７Ｂの固定操作を実施して、押圧部材１Ｂと保護部材３Ｂとを一層堅固に固定することもできる。
【００４３】
押圧部材の別の態様としては、図６、図１６、及び図１７に示すように、押圧平板部から突出する高さが同じ第１帯状平板部と第２帯状平板部とを備えた（ヒサシ部を有していない）押圧部材１Ｃを使用することができる。更に、図７及び図１２に示すように、押圧平板部から突出する高さが同じ第１帯状平板部と第２帯状平板部とを備えると共に、保護端縁にヒサシ部１９Ｄを備えた押圧部材１Ｄを使用することができる。また、図１３に示すように、押圧平板部から突出する高さが同じ第１帯状平板部と第２帯状平板部とからなる第１嵌合部を、保護端縁とは反対側の端部に設けた押圧部材１Ｅを使用することもできる。更にまた、図１４に示すように、押圧平板部から突出する高さが同じ第１帯状平板部と第２帯状平板部とからなる第１嵌合部を、保護端縁とは反対側の端部に設けると共に、保護端縁にヒサシ部１９Ｆを備えた押圧部材１Ｆを使用することもできる。更に、図１５に示すように、押圧平板部から突出する高さが同じ第１帯状平板部と第２帯状平板部とからなる第１嵌合部を、保護端縁から離間して設けた押圧部材１Ｇを使用することもできる。
なお、押圧部材１Ｃ〜１Ｇの説明において、図１で説明した部分に相当する部分については、図１で付した参照番号の後ろに、それぞれ「Ｃ」〜「Ｇ」を付して説明するが、押圧部材１Ｃ〜１Ｇを示す図面においては、煩雑さを避けるため、それらの部分の指示を省略することがある。
【００４４】
保護部材の別の態様としては、図９〜図１５に示す保護部材３Ｃ〜３Ｆを用いることができ、それらの構造は後述する。なお、保護部材３Ｃ〜３Ｆの説明において、図１で説明した部分に相当する部分については、図１で付した参照番号の後ろに、それぞれ「Ｃ」〜「Ｆ」を付して説明するが、保護部材１Ｃ〜１Ｆを示す図面においては、煩雑さを避けるため、それらの部分の指示を省略することがある。
各種の態様の押圧部材と、各種の態様の保護部材とは、それらが嵌合連結可能である限り、種々に組合せて用いることができる。
【００４５】
〔３〕第１の外装材端縁部位置への適用
本発明による固定防水構造及び固定防水具セットを、第１の外装材端縁部位置（すなわち、外装材端縁部が、上方開放型コーナー部の略垂直壁面に上向きに配置されている場合）へ適用する具体的態様について、図６及び図７に沿って説明する。図６及び図７に示す上方開放型コーナー部８４Ｋでは、防水シート８１の端縁部８２が立直壁面８４Ｖの上端に上向きに位置するように、防水シート８１が敷設されている。
図６に具体的に示す固定防水構造は、押圧平板部から突出する高さが同じ第１帯状平板部と第２帯状平板部とを備えた押圧部材１Ｃと、図２に示す保護部材３との組合せを用いて形成することができる。
具体的工程は、最初に、押圧部材１の押圧平板部１１を、押圧接触面２５で防水シート８１に直接に接触させて押し当てる。その際、押圧部材１の保護端縁２１が、防水シート８１の端縁部８２を上方方向に越え、更に、上方開放型コーナー部８４Ｋも上方方向に越えるように押し当てると、押圧平板部１１の押圧接触面２５と、外壁８４の上部壁面８４Ｕとの間に端縁保護空間６が形成される。
【００４６】
次に、この押圧接触状態で、押圧平板部１１の固定作業面２７の側から、締結具用貫通孔１７に締結具１８を通し、更に、防水シート８１及び外壁８４に穴を開けて、押圧部材１と、防水シート８１とを外壁８４に堅固に固定すると、締結具１８のキャップ部１８Ｃだけが固定作業面２７から露出した状態になる。
【００４７】
続いて、保護部材３の第２嵌合部３１の先端部３２を、第１嵌合部１３の嵌合溝２３に挿入して、保護部材３を押圧部材１に嵌合連結させることにより、保護部材３のカバー部３３によって、連結具保護空間９を形成して、締結具１８のキャップ部１８Ｃからの雨漏を防止することができる。すなわち、保護部材３のカバー部３３が、締結具１８のキャップ部１８Ｃを覆い、雨水などが締結具１８のキャップ部１８Ｃにかからないようにする。従って、保護部材３のカバー部３３の長さは、押圧部材１に嵌合連結させた状態で、締結具１８のキャップ部１８Ｃを雨漏から保護することのできる長さであることが必要である。
【００４８】
一方、防水シート８１の端縁部８２は、前記端縁保護空間６に、内部シーリング材４と、開口部シーリング材５とを充填することにより、雨漏的露出から保護することができる。前記端縁保護空間６の奥には、最初に内部シーリング材４を充填し、続いて、内部シーリング材４の上から、開口部シーリング材５を充填する。内部シーリング材４としては、防水シート８１と親和性の高い材料を選択して、高い密着性及び高い密封性を得るのが好ましい。しかしながら、内部シーリング材４は、外気に直接に触れることはないので、高耐候性の材料を選択する必要はない。一方、開口部シーリング材５は、外気に直接に触れるので、高耐候性の材料を選択するのが好ましい。しかしながら、開口部シーリング材５は、防水シート８１の端縁部８２とは直接に接触しないので、防水シート８１との親和性を考慮する必要はない。
前記端縁保護空間６の前記充填工程は、保護部材３を嵌合連結させる工程の前に実施してもよく、嵌合連結工程の後に実施してもよい。
【００４９】
図７に示す固定防水構造は、押圧平板部から突出する高さが同じ第１帯状平板部と第２帯状平板部とを備えると共に、保護端縁にヒサシ部１９Ｄを備えた押圧部材１Ｄを使用して形成することができる。具体的には、最初に、押圧部材１の押圧平板部１１を、押圧接触面２５で防水シート８１に直接に接触させて押し当てる。その際、ヒサシ部１９の内側表面（下方向の内側表面）と、外壁８４の上部壁面８４Ｕとの間に、シーリング材を充填可能な端縁保護空間６Ａを形成させるように、押し当てる。
【００５０】
次に、この押圧接触状態で、押圧平板部１１の固定作業面２７の側から、締結具用貫通孔１７に締結具１８を通し、前記と同様に、押圧部材１と防水シート８１とを外壁８４に堅固に固定し、締結具１８のキャップ部１８Ｃだけを固定作業面２７から露出させる。続いて、保護部材３の第２嵌合部３１の先端部３２を、第１嵌合部１３の嵌合溝２３に挿入して、保護部材３を押圧部材１に嵌合連結させることにより、保護部材３のカバー部３３によって、締結具保護空間９が形成され、締結具１８のキャップ部１８Ｃからの雨漏を防止することができる。
【００５１】
一方、端縁保護空間６には、内部シーリング材４と、開口部シーリング材５とを充填することにより、防水シート８１の端縁部８２を雨漏的露出から保護することができる。前記端縁保護空間６の奥には、最初に内部シーリング材４を充填し、続いて、内部シーリング材４の上から、開口部シーリング材５を充填する。内部シーリング材４としては、防水シート８１と親和性の高い材料を選択して、高い密着性及び高い密封性を得るのが好ましく、開口部シーリング材５としては、高耐候性の材料を選択するのが好ましい。前記端縁保護空間６の前記充填工程は、保護部材３の嵌合連結工程前に実施してもよく、嵌合連結工程後に実施してもよい。
【００５２】
〔４〕第２の外装材端縁部位置への適用
本発明による固定防水構造及び固定防水具セットを、第２の外装材端縁部位置（すなわち、外装材端縁部が、上方閉鎖型コーナー部の略垂直壁面に上向きに配置されている場合）へ適用する具体的態様について、図８〜図１０に沿って説明する。図８〜図１０に示す上方閉鎖型コーナー部８４Ｈでは、防水シート８１の端縁部８２が立直壁面８４Ｖの上端に位置し、しかも、天井外壁８４Ｃの上部壁面８４Ｕとほぼ接するように、防水シート８１が敷設されている。
【００５３】
図８に示す固定防水構造は、例えば、図１〜図３に示す押圧部材１と保護部材３との組合せを用いて形成することができる。
具体的工程は、最初に、押圧部材１の押圧平板部１１を、押圧接触面２５で防水シート８１に直接に接触させて押し当てる。その際、押圧部材１の保護端縁２１に設けた第１嵌合部１３の第１帯状平板部２２と、天井外壁８４Ｃの上部壁面８４Ｕとの間に、内部シーリング材４を充填可能な容積を有する端縁保護内部空間４１が形成されるようにする。この端縁保護内部空間４１は、端縁保護空間６の奥側の一部に相当する。前記端縁保護内部空間４１は、内部シーリング材４を充填可能な容積を有していればよく、防水シート８１の端縁部８２が、天井外壁８４Ｃの上部壁面８４Ｕと接近している場合は、押圧部材１の保護端縁２１から露出していてもよい。逆に、防水シート８１の端縁部８２が、天井外壁８４Ｃの上部壁面８４Ｕから離間している場合は、防水シート８１の端縁部８２を上方方向に越えて、押圧部材１の保護端縁２１を押圧してもよい。
【００５４】
次に、この押圧接触状態で、押圧平板部１１の固定作業面２７の側から、締結具用貫通孔１７に締結具１８を通し、前記と同様に、押圧部材１と防水シート８１とを立設壁面８４Ｂに堅固に固定し、締結具１８のキャップ部１８Ｃだけを固定作業面２７から露出させる。続いて、押圧部材１の保護端縁２１に設けた第１嵌合部１３の第１帯状平板部２２と、天井外壁８４Ｃの上部壁面８４Ｕとの間に形成された端縁保護内部空間４１Ｂに、内部シーリング材４を充填する。この充填操作の段階では、充填空間が形成されており、しかも保護部材３の嵌合連結操作前に実施するので、操作スペースが比較的広く開いており、充填操作を比較的容易に実施することができる。
【００５５】
続いて、保護部材３の第２嵌合部３１の先端部３２を、第１嵌合部１３の嵌合溝２３に挿入して、保護部材３を押圧部材１に嵌合連結させることにより、保護部材３のカバー部３３によって、締結具保護空間９が形成され、締結具１８のキャップ部１８Ｃからの雨漏を防止することができる。同時に、保護部材３の第２嵌合部３１の上面と、天井外壁８４Ｃの上部壁面８４Ｕとの間に、端縁保護開口部空間５１が形成される。端縁保護開口部空間５１は、端縁保護空間６の開口側の一部に相当する。この端縁保護開口部空間５１に、開口部シーリング材５を充填する。
なお、内部シーリング材４の充填操作を実施する前に、保護部材３の嵌合連結操作を実施し、続いて、端縁保護内部空間４１に内部シーリング材４を充填し、続いて端縁保護開口部空間５１に開口部シーリング材５を充填することもできる。
【００５６】
図１に示す押圧部材１と組合せて使用可能な保護部材の別の態様を用いて形成した固定防水構造を図９及び図１０に示す。図９及び図１０に示す態様においては、図８に示す態様と異なる部分についてのみ説明し、同じ部分については、同一の参照番号を付し、説明を省略する。
図９に示す保護部材３Ｃは、第２嵌合部３１とは反対側端部に平板状カバー部３３Ｃを備え、第２嵌合部３１と平板状カバー部３３Ｃとの間に、２段屈曲連結部３５Ｃを有する。２段屈曲連結部３５Ｃにより、端縁保護開口部空間５１の開口部が広くなり、開口部シーリング材５の充填操作が一層容易になる。
【００５７】
図１０に示す保護部材３Ｄは、第２嵌合部３１とは反対側端部に湾曲カバー部３３Ｄを備え、第２嵌合部３１と湾曲カバー部３３Ｄとの間に、１段屈曲連結部３５Ｄを有する。湾曲カバー部３３Ｄにより、締結具保護空間９の開口部が狭くなり、下方向から跳ね上がった雨水が、締結具保護空間９に侵入する可能性を減少させることができる。
【００５８】
〔５〕第３の外装材端縁部位置への適用
本発明による固定防水構造及び固定防水具セットを、第３の外装材端縁部位置へ適用する具体的態様について、図１１〜図１４に沿って説明する。第３の外装材端縁部位置とは、開放型コーナー部の略水平壁面（略水平の床面：すなわち、下方に存在する略水平壁面の上に外装材を載置する場合）において、外装材端縁部が、コーナー部の方向に配置されている場合である。図１１〜図１４に示す開放型コーナー部８４Ｋでは、防水シート８１の端縁部８２が、上部壁面８４Ｕにおいて、開放型コーナー部８４Ｋの方向に位置するように、防水シート８１が敷設されている。
【００５９】
図１１に示す固定防水構造の製造方法では、図１に示す押圧部材１と、鋭角屈曲連結部３５Ｅを有すると共にカバー部３３の先端に帯状突出部３８Ｅを備える保護部材３Ｅとの組合せを用いる。
最初に、押圧部材１の押圧平板部１１を、押圧接触面２５で防水シート８１に直接に接触させて押し当てる。その際、押圧部材１の保護端縁２１が、防水シート８１の端縁部８２を越え、更に、開放型コーナー部８４Ｋも越えるように押し当てると、押圧平板部１１の押圧接触面２５と、外壁８４の立直壁面８４Ｖとの間に端縁保護空間６が形成される。
【００６０】
次に、この押圧接触状態で、押圧平板部１１の固定作業面２７の側から、締結具用貫通孔１７に締結具１８を通し、更に、防水シート８１及び外壁８４に穴を開けて、押圧部材１と、防水シート８１とを外壁８４に堅固に固定すると、締結具１８のキャップ部１８Ｃだけが固定作業面２７の平板領域から露出した状態になる。
【００６１】
前記締結具１８のキャップ部１８Ｃが前記平板領域から露出した端部について、
（ａ）前記キャップ部１８Ｃが露出した部分を内部シーリング材７で被覆してから、保護部材３Ｅを前記押圧部材１に嵌合連結させることにより押圧平板部１１の固定作業面とカバー部３３Ｅの内側表面との間に締結具保護空間９を形成するか、あるいは
（ｂ）保護部材３Ｅを前記押圧部材１に嵌合連結させることにより押圧平板部１１の固定作業面とカバー部３３Ｅの内側表面との間に締結具保護空間９を形成させてから、その締結具保護空間９の奥の方に内部シーリング材７を充填する。
前記工程（ａ）又は（ｂ）の後に、前記締結具保護空間９の開口側に開口部シーリング材８を充填する。なお、前記カバー部３３は、鋭角屈曲連結部３５Ｅから開口部端部に向かって空間を狭くするように傾斜しており、しかも先端に帯状突出部３８Ｅを備えるので、締結具保護空間９の開口面積が小さくなり、開口部シーリング材を外部環境から保護することができる。
【００６２】
一方、前記端縁保護空間６については、奥の方に内部シーリング材４を充填した後、開口側に開口部シーリング材５を充填する。前記締結具保護空間９へのシーリング材充填工程と、前記端縁保護空間６へのシーリング材充填工程との実施順序は、適宜相互に入れ替えて実施することができる。例えば、それぞれの内部シーリング材の充填工程を実施した後に、それぞれの開口部シーリング材の充填工程を実施することもできる。
【００６３】
図１２に示す固定防水構造の製造方法では、図７で説明したヒサシ部１９Ｄを有する押圧部材１Ｄと、直角屈曲連結部３５Ｆを有すると共にカバー部３３の先端に帯状突出部３８Ｆを備える保護部材３Ｆとの組合せを用いる。
【００６４】
最初に、押圧部材１Ｄの押圧平板部１１Ｄを、押圧接触面２５Ｄで防水シート８１に直接に接触させて押し当てる。その際に、ヒサシ部１９Ｄの内側表面と、開放型コーナー部８４Ｋの立直壁面８４Ｖとの間に、端縁保護空間６を形成させるように、押し当てる。こうして、防水シート８１の端縁部８２は、雨漏的露出から保護される。
【００６５】
次に、この押圧接触状態で、押圧平板部１１Ｄの固定作業面２７Ｄの側から、締結具用貫通孔１７に締結具１８を通し、更に、防水シート８１及び外壁８４に穴を開けて、押圧部材１Ｄと、防水シート８１とを外壁８４に堅固に固定すると、締結具１８のキャップ部１８Ｃだけが固定作業面２７Ｄの平板領域から露出した状態になる。
【００６６】
前記締結具１８のキャップ部１８Ｃが前記平板領域から露出した端部について、
（ａ）前記キャップ部１８Ｃが露出した部分を内部シーリング材７で被覆してから、保護部材３Ｆを前記押圧部材１Ｄに嵌合連結させることにより押圧平板部１１Ｄの固定作業面とカバー部３３Ｆの内側表面との間に締結具保護空間９を形成するか、あるいは
（ｂ）保護部材３Ｆを前記押圧部材１Ｄに嵌合連結させることにより押圧平板部１１Ｄの固定作業面とカバー部３３Ｆの内側表面との間に締結具保護空間９を形成させてから、その締結具保護空間９の奥の方に内部シーリング材７を充填する。
前記工程（ａ）又は（ｂ）の後に、前記締結具保護空間９の開口側に開口部シーリング材８を充填する。なお、前記カバー部３３Ｆの先端に帯状突出部３８Ｆを備えるので、締結具保護空間９の開口面積が小さくなり、開口部シーリング材を外部環境から保護することができる。
【００６７】
図１３に示す固定防水構造の製造方法では、押圧平板部から突出する高さが同じ第１帯状平板部と第２帯状平板部とからなる第１嵌合部を、保護端縁とは反対側の端部に設けた押圧部材１Ｅと、図１２で説明した保護部材３Ｆとの組合せを用いる。
最初に、押圧部材１Ｅの押圧平板部１１Ｅを、押圧接触面２５Ｅで防水シート８１に直接に接触させて押し当てる。その際、押圧部材１Ｅの保護端縁２１Ｅが、防水シート８１の端縁部８２を越え、更に、開放型コーナー部８４Ｋも越えるように押し当てると、押圧平板部１１Ｅの押圧接触面２５Ｅと、外壁８４の立直壁面８４Ｖとの間に端縁保護空間６が形成される。
【００６８】
次に、この押圧接触状態で、押圧平板部１１Ｅ固定作業面２７Ｅ側から、締結具用貫通孔１７に締結具１８を通し、更に、防水シート８１及び外壁８４に穴を開けて、押圧部材１Ｅ、防水シート８１とを外壁８４に堅固に固定すると、締結具１８のキャップ部１８Ｃだけが固定作業面２７Ｅ平板領域から露出した状態になる。
【００６９】
前記締結具１８のキャップ部１８Ｃが前記平板領域から露出した端部について、
（ａ）前記キャップ部１８Ｃが露出した部分を内部シーリング材７で被覆してから、保護部材３Ｆを前記押圧部材１Ｅに嵌合連結させることにより押圧平板部１１Ｅの固定作業面とカバー部３３Ｆの内側表面との間に締結具保護空間９を形成するか、あるいは
（ｂ）保護部材３Ｆを前記押圧部材１Ｅに嵌合連結させることにより押圧平板部１１Ｅの固定作業面とカバー部３３Ｆの内側表面との間に締結具保護空間９を形成させてから、その締結具保護空間９の奥の方に内部シーリング材７を充填する。
前記工程（ａ）又は（ｂ）の後に、前記締結具保護空間９の開口側に開口部シーリング材８を充填する。なお、前記カバー部３３Ｆの先端に帯状突出部３８Ｆを備えるので、締結具保護空間９の開口面積が小さくなり、開口部シーリング材を外部環境から保護することができる。
【００７０】
一方、前記端縁保護空間６については、奥の方に内部シーリング材４を充填した後、開口側に開口部シーリング材５を充填する。前記締結具保護空間９へのシーリング材充填工程と、前記端縁保護空間６へのシーリング材充填工程と順序は、適宜相互に入れ替えて実施することができる。例えば、それぞれの内部シーリング材の充填工程を実施した後に、それぞれの開口部シーリング材の充填工程を実施することもできる。
【００７１】
図１４に示す固定防水構造の製造方法では、押圧平板部から突出する高さが同じ第１帯状平板部と第２帯状平板部とからなる第１嵌合部を、保護端縁とは反対側の端部に設けると共に、保護端縁にヒサシ部１９Ｆを備えた押圧部材１Ｆと、図１２で説明した保護部材３Ｆとの組合せを用いる。
【００７２】
最初に、押圧部材１Ｆの押圧平板部１１Ｆを、押圧接触面２５Ｆで防水シート８１に直接に接触させて押し当てる。その際に、ヒサシ部１９Ｆの内側表面と、開放型コーナー部８４Ｋの立直壁面８４Ｖとの間に、端縁保護空間６を形成させるように、押し当てる。こうして、防水シート８１の端縁部８２は、雨漏的露出から保護される。
【００７３】
次に、この押圧接触状態で、押圧平板部１１Ｆの固定作業面２７Ｆの側から、締結具用貫通孔１７に締結具１８を通し、更に、防水シート８１及び外壁８４に穴を開けて、押圧部材１Ｆと、防水シート８１とを外壁８４に堅固に固定すると、締結具１８のキャップ部１８Ｃだけが固定作業面２７Ｆの平板領域から露出した状態になる。
【００７４】
前記締結具１８のキャップ部１８Ｃが前記平板領域から露出した端部について、
（ａ）前記先端部１８Ｔが露出した部分を内部シーリング材７で被覆してから、保護部材３Ｆを前記押圧部材１Ｆに嵌合連結させることにより押圧平板部１１Ｆの固定作業面とカバー部３３Ｆの内側表面との間に締結具保護空間９を形成するか、あるいは
（ｂ）保護部材３Ｆを前記押圧部材１Ｆに嵌合連結させることにより押圧平板部１１Ｆの固定作業面とカバー部３３Ｆの内側表面との間に締結具保護空間９を形成させてから、その締結具保護空間９の奥の方に内部シーリング材７を充填する。
前記工程（ａ）又は（ｂ）の後に、前記締結具保護空間９の開口側に開口部シーリング材８を充填する。なお、前記カバー部３３Ｆの先端に帯状突出部３８Ｆを備えるので、締結具保護空間９の開口面積が小さくなり、開口部シーリング材を外部環境から保護することができる。
【００７５】
なお、第４の外装材端縁部位置へ適用する具体的態様については、前記の説明から当業者には、具体的適用方法は明らかであると考える。ちなみに、ヒサシ部を有する押圧部材を用いて端縁保護空間を形成する場合は、開口部が上方を向くので、内部シーリング材及び開口部シーリング材を充填するする必要がある。
【００７６】
〔６〕第５の外装材端縁部位置への適用
本発明による固定防水構造及び固定防水具セットを、第５の外装材端縁部位置へ適用する具体的態様について、図１５に沿って説明する。第５の外装材端縁部位置とは、閉鎖型コーナー部の略水平壁面（略水平の床面：すなわち、下方に存在する略水平壁面）の上に外装材を上方側から下方向に向けて載置し、外装材端縁部を立直壁面に近接して敷設する場合である。図１５に示す閉鎖型コーナー部８４Ｈでは、防水シート８１の端縁部８２が立直壁面８４Ｖの下端とほぼ接するように、防水シート８１が敷設されている。
【００７７】
図１５に示す固定防水構造は、押圧平板部から突出する高さが同じ第１帯状平板部と第２帯状平板部とからなる第１嵌合部を、保護端縁から離間しているが保護端縁側に設けた押圧部材１Ｇと、図１２で説明した保護部材３Ｆとの組合せを用いる。
具体的工程は、最初に、押圧部材１Ｇの押圧平板部１１Ｇを、押圧接触面２５Ｇで防水シート８１に直接に接触させて押し当てる。その際、押圧部材１Ｇの保護端縁２１Ｇから若干離間して設けた第１嵌合部１３Ｇの第１帯状平板部２２Ｇと、立直壁面８４Ｖとの間に、内部シーリング材４を充填可能な容積を有する端縁保護内部空間４１が形成されるようにする。この端縁保護内部空間４１は、端縁保護空間６の奥側の一部に相当する。前記端縁保護内部空間４１は、内部シーリング材４を充填可能な容積を有していればよく、防水シート８１の端縁部８２が、立直壁面８４Ｖと接近している場合は、押圧部材１Ｇの保護端縁２１Ｇから露出していてもよい。逆に、防水シート８１の端縁部８２が、立直壁面８４Ｖから離間している場合は、防水シート８１の端縁部８２を立直壁面８４Ｖの方向に越えて、押圧部材１Ｇの保護端縁２１Ｇを押圧してもよい。
【００７８】
次に、この押圧接触状態で、押圧平板部１１Ｇの固定作業面２７Ｇの側から、締結具用貫通孔１７Ｇに締結具１８を通し、前記と同様に、押圧部材１Ｇと防水シート８１とを水平床面８４Ｆに堅固に固定し、締結具１８のキャップ部１８Ｃだけを固定作業面２７Ｇから露出させる。続いて、押圧部材１Ｇの保護端縁２１Ｇに設けた第１嵌合部１３Ｇの第１帯状平板部２２Ｇと、立直壁面８４Ｖとの間に形成された端縁保護内部空間４１に、内部シーリング材４を充填する。この充填操作の段階では、充填空間が形成されており、しかも保護部材３Ｆの嵌合連結操作前に実施するので、操作スペースが比較的広く開いており、充填操作を比較的容易に実施することができる。
【００７９】
続いて、保護部材３Ｆの第２嵌合部３１Ｆの先端部３２Ｆを、第１嵌合部１３Ｇの嵌合溝２３Ｇに挿入して、保護部材３Ｆを押圧部材１Ｇに嵌合連結させることにより、保護部材３Ｆのカバー部３３Ｆによって、締結具保護空間９が形成される。同時に、保護部材３Ｆの第２嵌合部３１と、立直壁面８４Ｖとの間に、端縁保護開口部空間５１が形成される。端縁保護開口部空間５１は、端縁保護空間６の開口側の一部に相当する。この端縁保護開口部空間５１に、開口部シーリング材５を充填する。
なお、内部シーリング材４の充填操作を実施する前に、保護部材３Ｆの嵌合連結操作を実施し、続いて、端縁保護内部空間４１に内部シーリング材４を充填し、続いて端縁保護開口部空間５１に開口部シーリング材５を充填することもできる。
【００８０】
前記締結具保護空間９については、その奥の方に内部シーリング材７を充填し、続いて、開口側に開口部シーリング材８を充填する。なお、前記カバー部３３Ｆの先端に帯状突出部３８Ｆを備えるので、締結具保護空間９の開口面積が小さくなり、開口部シーリング材を外部環境から保護することができる。
【００８１】
なお、第６の外装材端縁部位置へ適用する具体的態様については、前記の説明から当業者には、具体的適用方法は明らかであると考える。
【００８２】
〔７〕第７の外装材端縁部位置への適用
本発明による固定防水構造及び固定防水具セットを、第７の外装材端縁部位置（すなわち、外装材端縁部が、略垂直壁面に下方向きに配置されている場合）へ適用する具体的態様について、図１６及び図１７に沿って説明する。
図１６及び図１７に示す固定防水構造の製造方法では、押圧平板部から突出する高さが同じ第１帯状平板部と第２帯状平板部とを含む第１嵌合部を保護端縁とは反対側に有する押圧部材１Ｈと、図２に示す保護部材３との組合せを用いて形成することができる。
【００８３】
具体的工程は、最初に、押圧部材１Ｈの押圧平板部１１Ｈを、押圧接触面２５Ｈで防水シート８１に直接に接触させて押し当てる。その際、押圧部材１Ｈの保護端縁２１Ｈが、防水シート８１の端縁部８２を下方方向に越えるように押し当てる。こうして、防水シート８１の端縁部８２は、雨漏的露出から保護される。
また、保護端縁２１Ｈの反対側の端部に設けた第１帯状平板部と、立直壁面８４Ｖとによって連結具保護空間９１が形成される。
【００８４】
次に、この押圧接触状態で、押圧平板部１１Ｈの固定作業面２７Ｈの側から、締結具用貫通孔１７Ｈに締結具１８を通し、押圧部材１Ｈと防水シート８１とを立直壁面８４Ｖに堅固に固定し、締結具１８のキャップ部１８Ｃだけを固定作業面２７Ｈから露出させる。続いて、連結具保護空間９１については、その奥の方に内部シーリング材９２を充填し、その後で、前記連結部保護空間９１の開口側に開口部シーリング材９３を充填する。
【００８５】
また、前記保護部材３を前記押圧部材１Ｈに嵌合連結させることにより締結具保護空間９を形成する。なお、この嵌合連結工程は、前記内部シーリング材の充填工程の前、前記内部シーリング材の充填工程と前記開口部シーリング材充填工程との間、又は前記開口部シーリング材充填工程の後に実施することができる。
【００８６】
前記の図６〜図１７においては、特定の外装材端縁部位置に対して特定の押圧部材及び特定の保護部材を用いる例を説明したが、各外装材端縁部位置に対して適宜別の態様の押圧部材及び特定の保護部材を用いることができることは、当業者には自明である。
【符号の説明】
【００８７】
１, １Ａ, １Ｂ, １Ｃ, １Ｄ, １Ｅ, １Ｆ, １Ｇ・・・押圧部材；
３, ３Ａ, ３Ｂ, ３Ｃ, ３Ｄ, ３Ｅ, ３Ｆ・・・保護部材；
４, ４Ａ, ４Ｂ・・・内部シーリング材；５, ５Ａ, ５Ｂ・・・開口部シーリング材；
６・・・端縁保護空間；７・・・内部シーリング材；８・・・開口部シーリング材；
９・・・締結具保護空間；１１, １１Ｄ・・・押圧平板部；１３・・・第１嵌合部；
１３Ａ, １３Ｂ・・・挿入板部；１５・・・平板領域；１７・・・締結具用貫通孔； 
１８・・・締結具；１８Ｃ・・・キャップ部；１８Ｔ・・・先端部；
１９, １９Ｄ, １９Ｆ・・・ヒサシ部；２１・・・押圧部材の保護端縁；
２２・・・第１帯状平板部；２３・・・嵌合溝；２４・・・第２帯状平板部；
２５・・・押圧接触面；
２７, ２７Ｄ, ２７Ｅ, ２７Ｆ, ２７Ｇ, ２７Ｈ・・・固定作業面；
３１, ３１Ａ・・・第２嵌合部；３２・・・先端部；
３３, ３３Ｄ, ３３Ｅ, ３３Ｆ・・・カバー部；
３５, ３５Ｃ, ３５Ｄ, ３５Ｅ, ３５Ｆ・・・連結部；
３６Ａ, ３６Ｂ・・・嵌合溝；３７Ａ・・・締結具；３８Ｅ, ３８Ｆ・・・帯状突出部；
４１Ｂ・・・端縁保護内部空間；
８１, ８１ａ, ８１ｂ・・・防水シート;
８２, ８２ａ,８２ｂ・・・防水シートの端縁部;
８３, ８３ａ, ８３ｂ・・・Ｌ字金具;８３Ａ・・・Ｌ字金具の短辺部;
８４・・・水平外壁面;８４Ａ・・・屋上床面;８４Ｂ・・・壁面;８４Ｃ・・・上方壁面;
８４Ｆ・・・水平床面;８４Ｋ・・・上方開放型コーナー部;
８４Ｈ・・・閉鎖型コーナー部;８４Ｒ・・・屋上の水平床面;
８４Ｕ・・・外壁の上部壁面;８４Ｖ・・・立直壁面;８５ａ, ８５ｂ・・・ネジ;
８７・・・雨水;８８・・・防水シーリング材; ８９・・・隙間；
９１・・・連結具保護空間；９２・・・内部シーリング材；
９３・・・開口部シーリング材；     
【図１】
2015031065.tif 000003
【図２】
2015031065.tif 000004
【図３】
2015031065.tif 000005
【図４】
2015031065.tif 000006
【図５】
2015031065.tif 000007
【図６】
2015031065.tif 000008
【図７】
2015031065.tif 000009
【図８】
2015031065.tif 000010
【図９】
2015031065.tif 000011
【図１０】
2015031065.tif 000012
【図１１】
2015031065.tif 000013
【図１２】
2015031065.tif 000014
【図１３】
2015031065.tif 000015
【図１４】
2015031065.tif 000016
【図１５】
2015031065.tif 000017
【図１６】
2015031065.tif 000018
【図１７】
2015031065.tif 000019
【図１８】
2015031065.tif 000020
【手続補正書】
【提出日】平成26年10月27日(2014.10.27)
【手続補正１】
【補正対象書類名】明細書
【補正対象項目名】００４３
【補正方法】変更
【補正の内容】
【００４３】
押圧部材の別の態様としては、図６、図１６、及び図１７に示すように、押圧平板部１１Ｃ，１１Ｈから突出する高さが同じ第１帯状平板部２２Ｃ，２２Ｈと第２帯状平板部２４Ｃ，２４Ｈとを備えた（ヒサシ部を有していない）押圧部材１Ｃ，１Ｈを使用することができる。更に、図７及び図１２に示すように、押圧平板部１１Ｄから突出する高さが同じ第１帯状平板部２２Ｄと第２帯状平板部２４Ｄとを備えると共に、保護端縁２１Ｄにヒサシ部１９Ｄを備えた押圧部材１Ｄを使用することができる。また、図１３に示すように、押圧平板部１１Ｅから突出する高さが同じ第１帯状平板部２２Ｅと第２帯状平板部２４Ｅとからなる第１嵌合部１３Ｅを、保護端縁２１Ｅとは反対側の端部に設けた押圧部材１Ｅを使用することもできる。更にまた、図１４に示すように、押圧平板部１１Ｆから突出する高さが同じ第１帯状平板部２２Ｆと第２帯状平板部２４Ｆとからなる第１嵌合部１３Ｆを、保護端縁２１Ｆとは反対側の端部に設けると共に、保護端縁２１Ｆにヒサシ部１９Ｆを備えた押圧部材１Ｆを使用することもできる。更に、図１５に示すように、押圧平板部１１Ｇから突出する高さが同じ第１帯状平板部２２Ｇと第２帯状平板部２４Ｇとからなる第１嵌合部１３Ｇを、保護端縁２１Ｇから離間して設けた押圧部材１Ｇを使用することもできる。
なお、押圧部材１Ｃ〜１Ｈの説明において、図１で説明した部分に相当する部分については、図１で付した参照番号の後ろに、それぞれ「Ｃ」〜「Ｈ」を付して説明するが、押圧部材１Ｃ〜１Ｈを示す図面においては、煩雑さを避けるため、それらの部分の指示を省略することがある。
【手続補正２】
【補正対象書類名】明細書
【補正対象項目名】００４９
【補正方法】変更
【補正の内容】
【００４９】
図７に示す固定防水構造は、押圧平板部１１Ｄから突出する高さが同じ第１帯状平板部２２Ｄと第２帯状平板部２４Ｄとを備えると共に、保護端縁２１Ｄにヒサシ部１９Ｄを備えた押圧部材１Ｄを使用して形成することができる。具体的には、最初に、押圧部材１の押圧平板部１１を、押圧接触面２５で防水シート８１に直接に接触させて押し当てる。その際、ヒサシ部１９の内側表面（下方向の内側表面）と、外壁８４の上部壁面８４Ｕとの間に、シーリング材を充填可能な端縁保護空間６Ａを形成させるように、押し当てる。
【手続補正３】
【補正対象書類名】明細書
【補正対象項目名】００７１
【補正方法】変更
【補正の内容】
【００７１】
図１４に示す固定防水構造の製造方法では、押圧平板部１１Ｆから突出する高さが同じ第１帯状平板部２２Ｆと第２帯状平板部２４Ｆとからなる第１嵌合部１３Ｆを、保護端縁２１Ｆとは反対側の端部に設けると共に、保護端縁２１Ｆにヒサシ部１９Ｆを備えた押圧部材１Ｆと、図１２で説明した保護部材３Ｆとの組合せを用いる。
【手続補正４】
【補正対象書類名】明細書
【補正対象項目名】００７９
【補正方法】変更
【補正の内容】
【００７９】
続いて、保護部材３Ｆの第２嵌合部３１Ｆの先端部３２Ｆを、第１嵌合部１３Ｇの嵌合溝２３Ｇに挿入して、保護部材３Ｆを押圧部材１Ｇに嵌合連結させることにより、保護部材３Ｆのカバー部３３Ｆによって、締結具保護空間９が形成される。同時に、保護部材３Ｆの第２嵌合部３１Ｆと、立直壁面８４Ｖとの間に、端縁保護開口部空間５１が形成される。端縁保護開口部空間５１は、端縁保護空間６の開口側の一部に相当する。この端縁保護開口部空間５１に、開口部シーリング材５を充填する。
なお、内部シーリング材４の充填操作を実施する前に、保護部材３Ｆの嵌合連結操作を実施し、続いて、端縁保護内部空間４１に内部シーリング材４を充填し、続いて端縁保護開口部空間５１に開口部シーリング材５を充填することもできる。
【手続補正５】
【補正対象書類名】明細書
【補正対象項目名】００８２
【補正方法】変更
【補正の内容】
【００８２】
〔７〕第７の外装材端縁部位置への適用
本発明による固定防水構造及び固定防水具セットを、第７の外装材端縁部位置（すなわち、外装材端縁部が、略垂直壁面に下方向きに配置されている場合）へ適用する具体的態様について、図１６及び図１７に沿って説明する。
図１６及び図１７に示す固定防水構造の製造方法では、押圧平板部１１Ｈから突出する高さが同じ第１帯状平板部２２Ｈと第２帯状平板部２４Ｈとを含む第１嵌合部１３Ｈを保護端縁２１Ｈとは反対側に有する押圧部材１Ｈと、図２に示す保護部材３との組合せを用いて形成することができる。
【手続補正６】
【補正対象書類名】図面
【補正対象項目名】図６
【補正方法】変更
【補正の内容】
【図６】
2015031065.tif 000021
【手続補正７】
【補正対象書類名】図面
【補正対象項目名】図７
【補正方法】変更
【補正の内容】
【図７】
2015031065.tif 000022
【手続補正８】
【補正対象書類名】図面
【補正対象項目名】図８
【補正方法】変更
【補正の内容】
【図８】
2015031065.tif 000023
【手続補正９】
【補正対象書類名】図面
【補正対象項目名】図１０
【補正方法】変更
【補正の内容】
【図１０】
2015031065.tif 000024
【手続補正１０】
【補正対象書類名】図面
【補正対象項目名】図１１
【補正方法】変更
【補正の内容】
【図１１】
2015031065.tif 000025
【手続補正１１】
【補正対象書類名】図面
【補正対象項目名】図１２
【補正方法】変更
【補正の内容】
【図１２】
2015031065.tif 000026
【手続補正１２】
【補正対象書類名】図面
【補正対象項目名】図１３
【補正方法】変更
【補正の内容】
【図１３】
2015031065.tif 000027
【手続補正１３】
【補正対象書類名】図面
【補正対象項目名】図１４
【補正方法】変更
【補正の内容】
【図１４】
2015031065.tif 000028
【手続補正１４】
【補正対象書類名】図面
【補正対象項目名】図１５
【補正方法】変更
【補正の内容】
【図１５】
2015031065.tif 000029
【手続補正１５】
【補正対象書類名】図面
【補正対象項目名】図１６
【補正方法】変更
【補正の内容】
【図１６】
2015031065.tif 000030
【手続補正１６】
【補正対象書類名】図面
【補正対象項目名】図１７
【補正方法】変更
【補正の内容】
【図１７】
2015031065.tif 000031